(57)【特許請求の範囲】
【請求項１】
球、多面体、柱体、造形物等の立体で形成した回転体と、
前記回転体を２つの異る方向に設定された回転軸の回りに、それぞれ回転動作後停止させる、駆動源、及び駆動機構と、
前記回転体の表面に単数又は複数表示され、前記回転体が所定の位置で停止されたときに、当り、外れ等の約定上の意味をもって表示されるようにした図柄と、
を有することを特徴とする回転式表示装置。
【請求項２】
球、多面体、柱体、造形物等の立体で形成した回転体と、
前記回転体を２つの異る方向に設定された回転軸の回りに、それぞれ回転動作後停止させる、駆動源、及び駆動機構と、
前記回転体の表面に単数又は複数表示された図柄と、
前記回転体の周囲に複数配置され、前記回転体が停止したとき表示される前記図柄との関係で約定上の意味をもつよう選択的に点灯、又は消灯される表示灯と、
を有することを特徴とする回転式表示装置。
【請求項３】
球、多面体、柱体、造形物等の立体で形成した回転体と、
前記回転体を２つの異る方向に設定された回転軸の回りに、それぞれ回転動作後停止させる、駆動源、及び駆動機構と、
前記回転体の表面に単数又は複数表示された図柄と、
前記回転体の周囲を取り巻く環状に形成され、前記回転体の回りに回転自由に軸支された外周回転表示盤と、
前記外周回転表示盤を回転動作後停止させる駆動手段と、
前記外周回転表示盤の表面に表示され、前記回転体が停止したとき表示される前記図柄との関係で約定上の意味をもつ記号、図柄等の表示手段と、
を有することを特徴とする回転式表示装置。
【請求項４】
球、多面体、柱体、造形物等の立体で形成され、隣接して配置された複数の回転体と、
前記各回転体を２つの異る方向に設定された回転軸の回りに、それぞれ回転動作後停止させる、駆動源、及び駆動機構と、
前記各回転体の表面に単数又は複数表示され、前記複数の回転体が全て停止されたときに前記各々の回転体の２つの軸回りの各停止位置によって変わる表示状態が前記複数の回転体の表示状態の間で約定上の意味をもつ関係を有するように表示された図柄と、
を有することを特徴とする回転式表示装置。
【請求項５】
前記複数の回転体に表示される図柄の一部に、前記回転体の２つの軸方向の停止位置に係る表示態様に関与しないで、他の回転体の前記図柄との間で約定上の意味をもつ関係を有するように表示された特定図柄と、
を有することを特徴とする請求項４記載の回転式表示装置。
【請求項６】
前記請求項１、請求項２、又は請求項３記載の回転式表示装置において、これらを複数隣接して配置し、
前記隣接配置された複数の回転式表示装置の前記図柄表示内容の組み合せにより、約定上の意味を特定するようにした、ことを特徴とする回転式表示装置の使用方法。
【発明の詳細な説明】
【０００１】
【産業上の利用分野】
本発明は、回転体を回動後停止させ、そのときの回転体上の所定位置における表示態様を表示する回転式表示装置とその使用方法に関する。
【０００２】
【従来の技術】
一般に、回転式表示装置は、図１０５に示すようなパチンコ機、図１０６に示すようなスロットマシン、又は占い用装置、その他の種々の機器に利用される。例えばパチンコ機では、遊技盤１０の中央に表示装置本体１２を設け、始動口１４にパチンコ球が入賞すると、表示装置本体１２に設けられた３つの回転ドラム１６、１８、２０が回動して停止する。回転ドラム１６、１８、２０の停止位置で表示される図柄（この場合には数字）が、横、又は斜め一列に同じ図柄がそろった場合には当りとして、賞球を払い出すようにされている。また、スロットマシンでも同様に、３つの回転ドラム２２、２４、２６をスタートボタン２８の操作で回動を開始させ、各回転ドラムに対応した停止ボタン３０、３２、３４を各々操作したときのタイミングに合わせて停止させる。そして、このときの回転ドラム２２、２４、２６の停止位置で表示される図柄が、横、又は斜め一列に同じ図柄がそろった場合には当りとして、コイン等を払い出すようにされている。
【０００３】
【発明が解決しようとする課題】
上述のような表示装置は、各回転ドラム１６、１８、２０、２２、２４、２６を一個のモータによって回動停止動作を行なわせている。このように、各回転ドラム１６、１８、２０、２２、２４、２６を一個の軸の回りに回動する場合には、各回転ドラム１６、１８、２０、２２、２４、２６は、上下、左右といった一つの方向に回動動作する以外に動作の余地がない。このため、各回転ドラム１６、１８、２０、２２、２４、２６の回転開始から停止までの動作パターンにバリエーションを設けようとしても、各回転ドラム１６、１８、２０、２２、２４、２６の回転速度を変動し、又は、回転停止動作を組み合わせる以外に方法がなく、動作が画一的になってしまう。
【０００４】
また、各回転ドラム１６、１８、２０、２２、２４、２６が一個の軸の回りに回動するものであるため、各回転ドラム１６、１８、２０、２２、２４、２６上に表示された各図柄は、各回転ドラム１６、１８、２０、２２、２４、２６の回動停止により、正面から見ると上下、又は左右等の一方向に動き、停止するだけである。
【０００５】
このため、１つの回転ドラム１６、１８、２０、２２、２４、２６の外周面に表示された複数の図柄の数しか表示態様のバリエーションを設けられない。よって、各回転ドラム１６、１８、２０、２２、２４、２６の表示図柄の数を増加するためには、それだけ各回転ドラム１６、１８、２０、２２、２４、２６を大形化するか、又は各図柄を小形化せねばならない。例えば、３列に並べられた回転ドラム１６、１８、２０、２２、２４、２６の図柄の組み合わせでゲームを構成しようとした場合、横一列に同じ図柄が並ぶ確率を２２５分の１に設定しようとすると、各回転ドラム１６、１８、２０、２２、２４、２６にそれぞれ１５種類の図柄を表示せねばならない。このような場合、各図柄を小形化することには図柄を視認する上で限度があるので、回転ドラムを大形化せねばならず、表示装置が大形化してしまう。よって、表示態様としての図柄が当り状態となる確率をより低くし、若しくは図柄が当り状態となるときのバリエーションを多くするためには、表示装置を大形化せねばならなくなる。
【０００６】
本発明は上記事実を考慮し、回転体の回転開始から停止までに種々の動作パターンを設定でき、回転体の表示態様のバリエーションを多くしても、小形化可能にした回転式表示装置を得ることが目的である。
【０００７】
【課題を解決するための手段】
本発明の請求項１に係る発明は、球、多面体、柱体、造形物等の立体で形成した回転体と、この回転体を２つの異る方向に設定された回転軸の回りに、それぞれ回転動作後停止させる、駆動源、及び駆動機構と、回転体の表面に単数又は複数表示され、回転体が所定の位置で停止されたときに、当り、外れ等の約定上の意味をもって表示されるようにした図柄と、を有することを特徴とする。
【０００８】
本発明の請求項２に係る発明は、球、多面体、柱体、造形物等の立体で形成した回転体と、この回転体を２つの異る方向に設定された回転軸の回りに、それぞれ回転動作後停止させる、駆動源、及び駆動機構と、回転体の表面に単数又は複数表示された図柄と、回転体の周囲に複数配置され、回転体が停止したとき表示される図柄との関係で約定上の意味をもつよう選択的に点灯、又は消灯される表示灯と、を有することを特徴とする。
【０００９】
本発明の請求項３に係る発明は、球、多面体、柱体、造形物等の立体で形成した回転体と、この回転体を２つの異る方向に設定された回転軸の回りに、それぞれ回転動作後停止させる、駆動源、及び駆動機構と、回転体の表面に単数又は複数表示された図柄と、回転体の周囲を取り巻く環状に形成され、回転体の回りに回転自由に軸支された外周回転表示盤と、外周回転表示盤を回転動作後停止させる駆動手段と、外周回転表示盤の表面に表示され、回転体が停止したとき表示される図柄との関係で約定上の意味をもつ記号、図柄等の表示手段と、を有することを特徴とする。
【００１０】
本発明の請求項４に係る発明は、球、多面体、柱体、造形物等の立体で形成され、隣接して配置された複数の回転体と、その各回転体を２つの異る方向に設定された回転軸と旋回軸との回りに、それぞれ回転動作後停止させる、駆動源、及び駆動機構と、各回転体の表面に単数又は複数表示され、複数の回転体が全て停止されたときに各々の回転体の２つの軸回りの各停止位置によって変わる表示状態が複数の回転体の表示状態の間で約定上の意味をもつ関係を有するように表示された図柄と、を有することを特徴とする。
【００１１】
本発明の請求項５に係る発明は、請求項４記載の回転式表示装置において、複数の回転体に表示される図柄の一部に、回転体の２つの軸方向の停止位置に係る表示態様に関与しないで、他の回転体の図柄との間で約定上の意味をもつ関係を有するように表示された特定図柄を有することを特徴とする。
【００１２】
本発明の請求項６記載の発明は、請求項１、請求項２、又は請求項３記載の回転式表示装置を複数隣接して配置し、隣接配置された複数の回転式表示装置の図柄表示内容の組み合せにより、約定上の意味を特定するようにした方法を特徴とする。
【００１３】
【作用】
本発明の請求項１に係る発明では、回転体が２つの異る軸の回りに回動後停止されたとき、回転体の停止位置に対応して表示された図柄と、この図柄の回転角度とにより特定される多種の表示態様が、所定の表示態様と一致しているときを、例えば当りとし、それ以外の表示態様のときを外れとするという、約定上の意味付けをし、ゲーム等を進行する。
【００１４】
また、図柄とその表示方向との組合せによる多種の表示態様を１つの回転体を用いた簡素で小形化可能な構成により表現できる。
【００１５】
本発明の請求項２に係る発明では、回転体が２つの異る軸の回りに回動後停止されたとき、回転体の停止位置に対応して表示された図柄と、この図柄の回転角度とにより特定される多種の表示態様が、回転体の周囲において、点灯され、又は消灯されることによって特定された表示灯の位置との関係で、例えば、図柄の回転角度方向と特定された表示灯の方向が一致すれば当りとし、それ以外を外れとする等の約定上の意味付けをし、ゲームを進行する。
【００１６】
また、回転体の停止時に特定される図柄とその表示方向との条件の他に特定された表示灯の方向も条件に組み合わせることにより作られる多種の表示態様を１つの回転体を用いた簡素で小形化可能な構成により表現できる。
【００１７】
本発明の請求項３に係る発明では、回転体が２つの異る軸の回りに回動後停止されたとき、回転体の停止位置に対応して表示された図柄と、この図柄の回転角度とにより多種の表示態様のうちの１つが特定される。このとき、回動後停止された外周回転表示盤に表示された図柄と、前述のように回転体に表示された図柄とが、例えば一致する等の対応関係があるときを当りとし、その他を外れとする等の約定上の意味付けをし、ゲーム等を進行する。
【００１８】
また、回転体の停止時に特定される図柄とその表示方向との条件の他に、特定された外周回転表示盤の図柄も条件に組み合わせることにより作られる多種の表示態様を１つの回転体を用いた簡素で小形化可能な構成により表現できる。
【００１９】
本発明の請求項４に係る発明では、各回転体が２つの異る軸の回りに回動後停止されたとき、各回転体の停止位置に対応してそれぞれ表示された図柄と、この図柄の回転角度とにより多種の表示態様のうち１つが、各々の回転体に特定されたとき、例えば複数の回転体全ての表示態様が一致しているときを、当りとし、それ以外の表示態様のときを外れとするという、約定上の意味付けをし、ゲーム等を進行する。
【００２０】
このように複数の回転体の各々に表現される表示態様を組み合わせる簡素で小形化可能な構成により、全体として多種の表示態様を表現できる。
【００２１】
本発明の請求項５に係る発明では、各回転体が２つの異る軸の回りに回動後停止されたとき、各回転体の停止位置に対応してそれぞれ表示された図柄と、この図柄の回転角度とにより多種の表示態様のうちの１つが、各々の回転体に特定されたとき、これら複数の特定された表示態様の組み合わせによって約定上の意味付けをするとき、回転体の動作に関与しない図柄を交えることにより、バラエティに富んだ約定上の意味付けを行なえるようにした簡素で小形化可能な構成により、全体として多種の表示態様を表現できる。
【００２２】
本発明の請求項６に係る発明では、単体の回転式表示装置を複数組み合わせて使用し、各回転式表示装置の図柄、及びその表示態様の相互間に対応をもたせ、これら複数の回転式表示装置によって表示される複数の表示態様の組み合わせにより、全体として多種でバラエティに富んだ表示態様を簡素で小形化可能な構成により表現できる。
【００２３】
【実施例】
以下、本発明の回転式表示装置の第１実施例を図１乃至図９によって説明する。
【００２４】
（第１実施例）
本第１実施例の全体を図１、図２及び図７に示すように、本第１実施例では箱状のハウジング５０内に機構支持板５２と回路支持板５４とが設けられている。機構支持板５２には回転体５６の駆動機構部が設けられ、回路支持板５４には表示制御回路部５８が設けられている。また、ハウジング５０の回転体５６が臨む開口部には、図示するように、回転体５６の球面の一部に沿うような球面窓部６０Ａを形成した透明のカバー部材６０が設置されている。
【００２５】
（回転体）
回転体５６は、図３、図４、図５及び図７にも示すように、一対の半球形の殻体６２、６４を、球形に組み合わせて構成される。各殻体６２、６４には、その半球面中央部に、各殻体６２、６４の球面の中心から放射線方向に筒状の軸筒部６６がそれぞれ立設される。各軸筒部６６の各殻体６２、６４との結合部には、半球面外側に開放し、所定の長さを有する細径の固定穴部６８が設けられる。さらに、各軸筒部６６の固定穴部６８から各軸筒部６６の自由端面にかけて太径の通し穴７０がそれぞれ穿設される。
【００２６】
また、一方の殻体６２には、その円形開口端部の内側面部を一段太径の内周面にするよう環状に切除して、嵌合凹部７２が形成される。加えて、嵌合凹部７２の一部を小矩形状に残して、位置合わせ凸部８０が設けられる。さらに、一方の殻体６２の軸筒部６６の自由端外周部を一段細径にするよう環状に切除して、嵌合軸凸部７４が形成される。
【００２７】
これとともに、他方の殻体６４には、その円形開口端部の外側面部を一段細径にするよう環状に切除して、嵌合凸部７６が形成される。加えて、嵌合凸部７６の一部を小矩形状に切除して、位置合わせ凹部８２が設けられる。さらに、他方の殻体６２の軸筒部６６の自由端内周部を一段細径の内周面にするよう環状に切除して嵌合軸凹部７８が形成される。
【００２８】
上述のように形成された一対の殻体６２、６４は、嵌合凹部７２に嵌合凸部７６が嵌合し、嵌合軸凹部７８に嵌合軸凸部７４が嵌合して、球状に組み合わせられる。このように構成することにより、中空薄肉の球体を、射出成形によって容易に製造可能となり、そのための金型も容易に製作できる。これにより中実球に形成した場合に比べ、大幅に軽量化できる。また、一対の殻体６２の軽量化のため全体の肉厚を薄くし、変形し易く軟弱になった場合でも、組み付けられた一対の殻体６２の接合部で互いにずれないように正確に接合でき、接合部の嵌合構造により、接合部の強度を高めることができる。
【００２９】
さらに、一対の殻体６２、６４は、位置合せ凸部８０に位置合せ凹部８２が嵌合し、各殻体６２、６４の開口外周面の位置が相互に一義的に対応して球状に組み付けられる。よって、球状に組み付けられた一対の殻体６２、６４の接合部に亘って、各図柄を表示する場合に、各殻体６２、６４の外周面所定位置にあらかじめ各図柄を分割された状態で表示しておき、一対の殻体６２、６４を球状に組み合わせた場合でも、球面の接合部上の図柄にずれを生じないようにできる。
【００３０】
また、一対の殻体６２、６４を球状の回転体５６に組み付けた状態では、一本の柱状に嵌合した軸筒部６６の各固定穴部６８と通し穴７０とが直線状に並ぶことになる。このように直線状に並んだ各固定穴部６８と通し穴７０に回転軸８４を挿通し、両端の固定穴部６８でこの固定穴部６８にきつく嵌まった回転軸８４を保持する。なお、回転体５６は上述の構成に限られるものではなく、球体を３分割以上に分割構成し、又は、立方体等の多面体を複数に分割し、それらの内部を空洞にして軽量とし、この回転体５６を回動するときの負荷が小さくなるように構成しても良い。さらに、この分割した部分を接合するときには、接合部を相互に嵌合可能な段状形状にして正確に嵌め合わせることが望ましい。
【００３１】
なお、本実施例の回転体５６は、上述の構成に限られるものではなく、正多面体、柱体、錐体、その他の立体物、例えば、見る角度によって正面形状が異るような立体物、又は乗り物、置き物、種々の造形物等で異る表示態様を表示するよう構成しても良いことは勿論である。
【００３２】
（図柄）
上述の如く構成した回転体５６の外周表面部には、図９に示す如き、一連の図柄１４８、１５０、１５２、１５４、１５６、１５８を表示する。この図柄は、４個の当り図柄、１４８、１５２、１５４、１５８と、２個の外れ図柄１５０、１５６とで構成される。これらの図柄１４８、１５０、１５２、１５４、１５６、１５８は、回転体５６における、回転体５６の中心を通りＹ軸（回転軸８４）に直交する平面と、回転体５６の外周面との交わる部所である一対の殻体６２、６４の接合周部に沿って一連の環状に配置される。さらに、各図柄１４８、１５０、１５２、１５４、１５６、１５８は、回転体５６の外周部を６分割した各範囲内にそれぞれ表示される。
【００３３】
（駆動機構）
図１、及び図７に示すように、回転体５６に挿通された回転軸８４の一対の殻体６２、６４から延出された両端部は、それぞれ保持フレーム８６の軸受部８８に回動自由に挿通され軸支される。さらに、回転軸８４の各軸受部８８から延出した両端部には、それぞれ回転体固定歯車９０を固着し、この回転体固定歯車９０と回転軸８４と、一対の殻体６２、６４とが軸受部８８に軸支されてＹ軸回りに一体的に回動するようにする。
【００３４】
保持フレーム８６は、半球殻形状をしており、その半球面中央に穿設した円形開口から一体的に円筒状軸部９２が形成される。円筒状軸部９２は、機構支持板５２に立設した円筒状の旋回軸９４の外周に嵌められて軸支される。また、円筒状軸部９２の自由端部には、直角横方向に延びるフランジ状の旋回被動歯車９６が一体に形成される。
【００３５】
この旋回被動歯車９６は、機構支持板５２に設けたステッピングモータである旋回駆動源９８の駆動歯車１００に噛合される。これにより、旋回駆動源９８を駆動して、駆動歯車１００から旋回被動歯車９６に回転を伝達し、保持フレーム８６及び回転体５６を図１のＸ軸回りに回動させるようにする。
【００３６】
なお、図１の構成では、Ｘ軸とＹ軸とが直角をなす構成であるが、Ｘ軸とＹ軸とは方向が異るように構成されていれば良い。
【００３７】
保持フレーム８６の外側には、介在歯車１０２が装着される。介在歯車１０２は、半球殻形状をしており、その半球面中央の円形開口から一体に円筒状の軸筒部１０４が形成される。軸筒部１０４は、円筒状軸部９２の外周に嵌められて軸支される。
【００３８】
保持フレーム８６の半球殻形の広口周端部には、歯車１０６を形成し、回転体５６の各回転体固定歯車９０を噛合させる。
【００３９】
保持フレーム８６の軸筒部１０４の自由端部には、直角横方向に延びるフランジ状の回転被動歯車１０８が一体に形成される。この回転被動歯車１０８は、機構支持板５２に設けたステッピングモータである回転駆動源１１０の駆動歯車１１２に噛合される。これにより、回転駆動源１１０を駆動して、駆動歯車１１２から回転被動歯車１０８に回転を伝達し、介在歯車１０２を回動する。そして介在歯車１０２の歯部１０６に噛合する回転体固定歯車９０が回動されて、回転体固定歯車９０と一体の回転軸８４と回転体５６が図１のＹ軸回りに回動される。
【００４０】
なお、本第１実施例では駆動源９８、１１０の動力を伝達するための歯車機構を用いたが、巻掛け伝動機構等の、種々の動力伝達機構を用いても良い。
【００４１】
（回転位置検出）
回転体５６には、図６に示すように、その中心を通りＹ軸に直交する平面と、回転体５６の外周面との交わる所定部位に検出素子１１４を設置する。すなわち、回転体５６の所定部位に凹部１１６が形成され、この凹部１１６内に磁石で構成した検出素子１１４が配置される。また、図１及び図７にも示すように、旋回軸９４の筒内に回転位置検出センサ１１８が回転体５６に隣接して配置され、回転体５６のＹ軸を中心とする回転によって検出素子１１４が回転位置検出センサ１１８の直上に来たことを検出するようにする。
【００４２】
なお、上述の回転体５６の回転位置検出手段として、非接触式の磁気検知手段を用いたものについて説明したが、その他の検知手段を用いることもできる。例えば、検出素子１１４として磁石の代わりに磁気コーティングをして素子を構成し、又は磁気シール等を貼着して素子を構成するようにしても良い。又は、非接触式の光検知式検出手段を用いても良い。この場合には、検出素子１１４として穴又は光の反射材等を用いる。
【００４３】
さらに、検出素子１１４は回転体５６上に一つ設けるばかりでなく、回転体５６上に描かれた各図柄等に対応して、複数設けても良いことは勿論である。
【００４４】
本例装置のハウジング５０内の所定部所には、図１に示すように保持フレーム８６と一体的に回動する回転体５６の、Ｘ軸を中心とする回動位置を検出する旋回位置検出センサ１２０が配置される。また、ハウジング５０内の所定部所には、ランプ１２２が配置される。
【００４５】
（外周表示手段）
さらにハウジング５０におけるカバー部材６０の内側に、球面窓部６０Ａの周囲を取り巻くように環状の表示灯基板１２４が配置される。この表示灯基板１２４の中心角１５度づつに区切って２４分割された部位には、それぞれＬＥＤ等で構成した表示灯１２６を配置する。
【００４６】
（制御部）
ハウジング５０内の回路支持板５４上には、表示制御回路部５８が設置されている。表示制御回路部５８は、図８に示すようにマイクロプロセッシングユニット１２８を有し、接続配線１３０を介して別途設けられた主制御回路１３２から送られて来る制御信号に従って具体的な制御動作を実行するように構成されている。このため、マイクロプロセッシングユニット１２８には、ランダムアクセスメモリ（ＲＡＭ）１３４と、基本的な制御動作プログラムが書き込まれたリードオンリメモリ（ＲＯＭ）１３６と、クロック１３８とが接続されている。さらにマイクロプロセッシングユニット１２８には、入出力制御システム１４０が接続されている。入出力制御システム１４０は、旋回駆動源９８、回転駆動源１１０に接続され、センサーアンプ１４２を介して回転位置検出センサ１１８、及び旋回位置検出センサ１２０が接続されている。また、マイクロプロセッシングユニット１２８には、ランプドライバ１４６を介して、ランプ１２２と、表示灯１２６が接続されている。
【００４７】
なお、本第１実施例では、表示制御回路部５８を用いて、旋回駆動源９８、回転駆動源１１０、ランプ１２２、表示灯１２６等を動作制御している。しかし、表示制御回路部５８を用いることなく、主制御回路１３２によって動作制御するように構成しても良い。
【００４８】
次に、上述した本第１実施例の作用、及び動作を説明する。
本第１実施例では、図８に示す主制御回路１３２からの単純な命令信号がマイクロプロセッシングユニット１２８に入力されると、リードオンリメモリ１３６のプログラムによって、複雑な動作制御、及び表示制御を実行するようにされている。
【００４９】
次に、上述のようなマイクロプロセッシングユニット１２８により回転駆動源９８を固定し、回転駆動源１１０のみを駆動した場合について説明する。この場合には、図１に示すように回転駆動源１１０が駆動歯車１１２を回動し、これに噛合する介在歯車１０２をＸ軸回りに回動する。これにより、介在歯車１０２の回動によって、その歯部１０６に噛合する回転体固定歯車９０が回動され、これと一体の回転軸８４、及び回転体５６がＹ軸を中心軸として回動される。
【００５０】
次に、回転駆動源１１０を停止し、旋回駆動源９８のみを駆動した場合について説明する。この場合には、旋回駆動源９８の回動力により駆動歯車１００を介して保持フレーム８６をＸ軸回りに回動する。すると、回転体５６が回転軸８４とともにＸ軸を中心軸として回動されることになる。このとき、介在歯車１０２は停止状態にあるので、保持フレーム８６の回動に伴って、回転体固定歯車９０が歯部１０６上を転動されて、これと一体に回転体５６がＹ軸を中心軸として一の方向に回動されることになる。このため、回転体５６は、Ｘ軸の回りに旋回すると同時に、Ｙ軸の回りに回転するという複雑な動きをする。
【００５１】
次に、旋回駆動源９８と、回転駆動源１１０とを同時に駆動した場合について説明する。まず、旋回駆動源９８と回転駆動源１１０とを駆動して、介在歯車１０２が保持フレーム８６と同速度で同方向に回動された場合には、回転体５６は回動を停止し、Ｘ軸回りに旋回する。
【００５２】
さらに、介在歯車１０２が保持フレーム８６より速い速度で回動されると、回転体５６は前述とは逆の方向に回動される。
【００５３】
また、介在歯車１０２が、保持フレーム８６と逆の方向に回転されると、回転体５６は前述した一の方向に、より速度を増して回動される。
【００５４】
表示制御回路部５８では、上述したような回転体５６の種々の動作を組み合わせるように動作制御し、回転体５６に表示された図柄１４８、１５０、１５２、１５４、１５６、１５８が移動する方向を変え、表示される方向を変えながら種々に移り変わるようにする。
【００５５】
次に、回転体５６上に表示した図柄１４８、１５０、１５２、１５４、１５６、１５８のうちの所要の図柄を所要の方向に向けて球面窓部６０Ａから表示させるための制御動作について説明する。まず、パチンコ機の始動口にパチンコ球が入賞したときのタイミング等から、主制御回路１３２で、表示すべき図柄と、その表示方向が決定され、その図柄と表示方向とを特定する指令信号が、表示制御回路部５８に送られる。
【００５６】
すると、表示制御回路部５８では、旋回位置検出センサ１１８の検出信号によて、保持フレーム８６の旋回位置を逐次検出しながら、旋回駆動源９８を制御して特定の図柄表示方向に対応した位置に保持フレーム８６を停止させる。次に、回転位置検出センサ１１８で回転体５６の検出素子１１４が、この回転位置検出センサ１１８の直上に来たときを検出し、このときを原点として、所要の図柄が原点に対し何度回動した位置にあるかを示す情報を基に回転駆動源１１０を制御し、回転体５６を所要角度回動して停止させ、所要の図柄が球面窓部から表示されるようにする。
【００５７】
次にランプ１２２と、表示灯１２６の制御について説明する。ランプ１２２は、回転体５６の回動時等に点灯される。
【００５８】
また、表示灯１２６は、例えば、回転体５６が停止されたときに図柄１４８、１５０、１５２、１５４、１５６、１５８が向いている図柄表示方向に対応した直径方向に位置する２つの表示灯１２６だけを点灯させ、図柄表示方向を明示するようにする。又は、あらかじめ主制御回路１３２で決定された指令に基づき、回転体５６の回転時に特定の表示灯１２６を点灯させ、回転体５６が停止したときに図柄の表示方向がこの点灯している表示灯１２６の向きと一致しているときに当りとするように用いられる。
【００５９】
なお、本第１実施例では、回転体５６をＸ軸とＹ軸との２軸方向に回動するため保持フレーム８６、回転体固定歯車９０、介在歯車１０２等を有する駆動機構を用いたが、本発明はこれに限定されるものではなく、回転体５６にＸ軸方向に回転するローラを転接させるとともに、Ｙ軸方向に回転するローラを転接させ、これらのローラを独自に回動制御することによって、回転体５６をＸ、Ｙ軸方向に回動動作するように構成しても良い。
【００６０】
（第２実施例）
以下、本発明の第２実施例を図１０、乃至図１６によって説明する。この第２実施例は、回転体、その駆動機構部分及び回転位置検出部分を改良したものである。
【００６１】
（回転体）
本第２実施例では、図１０、及び図１５に示すように、円筒状部材の一方の端口に半球面状の側壁１６０を一体に形成して回転体５６が形成されている。回転体５６の中空内部には、球面側壁１６０の内面所定位置に複数の支持用支柱１６２が立設されている。回転体５６の軸線上に当る球面側壁１６０の中央部には、透孔１６４が設けられている。
【００６２】
この透孔１６４には、柱状の軸部材１６６の先端部が嵌め込まれる。軸部材１６６の基端部にはフランジ１６８と傘歯車１８６が一体に形成され、このフランジ１６８に穿設された各透孔１７０にねじ１７２を通し、支持用支柱１６２の螺子穴に螺挿して、回転体５６と軸部材１６６とを一体に締結する。
【００６３】
軸部材１６６には、その長手方向の軸線に沿って挿通穴１７４が穿設されている。この挿通穴１７４の両出口端部にはそれぞれ軸受１７６が設置される。さらに、挿通穴１７４に挿通した軸棒１７８に挿通穴１７４の両端の軸受１７６を装着し、軸棒１７８に対し、軸受１７６を介して軸部材１６６、及び回転体５６が回動自在に軸支されるようにする。
【００６４】
軸棒１７８の一端延出部１８０は、支持側部材１８２に穿設した挿通孔１８４に嵌挿され、ナット１８８を延出部１８０の螺子部に螺合して締結される。支持側部材１８２は、その挿通孔１８４より上の部分が球面状に形成され、その下部には図１６にも示すような２本の足部２００、２００が突設される。
【００６５】
（駆動機構）
上述のように構成された回転体５６部分は、図１６に示す如くその足部２００を、駆動機構におけるベース部材であるベース歯車２０２の平面部所定位置に固着される。図１０、及び図１５に示すように、ベース歯車２０２はその外周部に歯を形成した平歯車として構成され、その平面部における中心から偏心した位置に、支持筒部２０４が設けられている。
【００６６】
支持筒部２０４の筒穴の両端部にはそれぞれ軸受２０６、２０６が設置され、この支持筒部２０４の筒穴に挿通した小軸棒２０８が、これら軸受２０６、２０６に軸支されるようにする。
【００６７】
小軸棒２０８の図１５で上側に当る部分には、伝動部材である傘歯車部材２１０をねじ２１２で締結し、図１０に示すように傘歯車部材２１０と、軸部材１６６の伝動部材である傘歯車１８６とを噛合させる。また、小軸棒２０８の図１５で下側に当る部分には、小平歯車であるインナー歯車２１４が嵌められ、ねじ２１６で固定される。
【００６８】
ベース歯車２０２の中央部には、筒状の支枠部２１８が一体に突設される。この支枠部２１８には、軸棒２２０が固着される。支枠部２１８には、２つの軸受２２２及びリング２２４を介して、サード歯車２２６が軸支される。
【００６９】
サード歯車２２６は、同軸上に、小平歯車部２２８と、大平歯車部２３０とが一体に形成され、その小平歯車部２２８は、インナー歯車２１４に噛合される。
【００７０】
ベース歯車２０２の軸棒２２０の自由端ねじ部は、回転支持部材２３２の透孔２３４に挿通されナット２３６で締結される。回転支持部材２３２は、ケース２３８の底面に、軸受２４０を介して回動自由に軸支される。
【００７１】
ケース２３８の一部には、図１４に向って右側に当る回転式図柄表示装置部分に破線で示すように動力伝達機構に接続される旋回モータ２４２と回転モータ２４４とが配置される。
【００７２】
旋回モータ２４２は、図１１、及び図１４の中央部に当る回転式図柄表示装置部分に示すように、その出力軸に設けたモータ歯車２４６がシャフト２５０に軸支されたセカンド歯車２４８を介してベース歯車２０２に噛合連動される。
【００７３】
また、図１０、及び図１４の中央部に当る回転式図柄表示装置部分に示すように、回転モータ２４４の長く延出した出力軸の先端部に設けたモータ歯車２５２がシャフト２５４に軸支されたセカンド歯車２５６を介してサード歯車２２６に噛合連動される。
【００７４】
なお、本実施例では、回転体５６を回動するため傘歯車１８６、傘歯車部材２１０等を用いたが、これらを摩擦伝動部材で構成しても良いことは勿論である。
【００７５】
（回転位置検出）
上述した駆動機構部のベース歯車２０２とサード歯車２２６とに連動して回転位置検出手段が設置される。図１２に示すようにベース歯車２０２には、第１旋回センサ歯車２５８を介して減速するように第２旋回センサ歯車２６０を噛合連動する。また、サード歯車２２６には、第１回転センサ歯車２６２を介して減速するように第２回転センサ歯車２６４を噛合連動する。
【００７６】
そして、図１３に向って右側、また図１４の中央に当る回転式図柄表示装置部分に示すように、第２旋回センサ歯車２６０には、旋回位置センサ２６６が設けられ、第２回転センサ歯車２６４には回転位置センサ２６８が設けられる。
【００７７】
このように、本第２実施例では、回転体５６の横位置に旋回モータ２４２、回転モータ２４４、旋回位置センサ２６６、及び回転位置センサ２６８を設けたので、回転式図柄表示装置全体としての高さ寸法を低減できる。また、図１３、及び図１４に示すように、本第２実施例における回転式図柄表示装置を３個並べて配置し、これら３個の図柄表示装置を総合的に動作制御するように構成することもできる。
【００７８】
次に、本第２実施例の作用、及び動作を説明する。まず、旋回モータ２４２を回動制御すると、その駆動力がモータ歯車２４６からセカンド歯車２４８を介してベース歯車２０２に伝達される。するとベース歯車２０２と一体に回転体５６部分と、小軸棒２０８及びインナー歯車２１４等の部分がＸ軸を中心に旋回される。このため、インナー歯車２１４が、静止しているサード歯車２２６の小平歯車部２２８に噛合しながら転動することになる。この動作によって、インナー歯車２１４と一体の小軸棒２０８、及び傘歯車部材２１０と、これに噛合する傘歯車１８６を介して回転体５６がＹ軸を中心に回転される。さらに、回転体５６の旋回位置は、ベース歯車２０２に、第１旋回センサ歯車２５８を介して連動する第２旋回センサ歯車２６０の回動位置を旋回位置センサ２６６で検出することにより特定できる。
【００７９】
また、回転モータ２４４を回動制御すると、その駆動力がモータ歯車２５２からセカンド歯車２５６を介してサード歯車２２６に伝達される。さらにサード歯車２２６の小平歯車部２２８からインナー歯車２１４、小軸棒２０８、傘歯車部材２１０、及び傘歯車１８６を通じて伝達され、回転体５６がＹ軸を中心に回動される。さらに、回転体５６の回転位置は、サード歯車２２６の大平歯車部２３０に、第１回転センサ歯車２６２を介して連動する第２回転センサ歯車２６０の回動位置を回転位置センサ２６８で検出することにより特定できる。
【００８０】
そして、旋回モータ２４２、及び回転モータ２４４を共に動作制御して、回転体５６に種々の旋回、回転動作が組み合わさった複雑な動作を行なわせることができる。
【００８１】
なお、本第２実施例における以上説明した以外の構成、作用、及び効果は、前述した第１実施例と同等であるので、その説明を省略する。
【００８２】
（第３実施例）
次に、本発明の第３実施例を図１７乃至図１９によって説明する。本第３実施例は、回転体５６のＸ軸方向後方に旋回モータ、回転モータ、旋回位置センサ、及び回転位置センサが配置されるように構成したものである。なお、本第３実施例における、前述した第２実施例に対応する部分には同一符号を付すこととし、説明の便に供する。
【００８３】
（駆動機構）
回転体５６は、軸棒１７８によって、Ｙ軸回りに回動自由に軸支される。軸棒１７８の回転体５６から延出した部分は、支持側部材１８２に取り付けられる。
【００８４】
支持側部材１８２は、ベース歯車２０２に固定される。ベース歯車２０２の支持筒部２０４に軸支した小軸棒２０８の図１７で上端に固着した傘歯車部材２１０を回転体５６側の傘歯車１８６に噛合させるとともに、小軸棒２０８の図１７で下端側に記載された部分には、インナー歯車２１４が固着される。
【００８５】
ベース歯車２０２の中央部に設けた長尺の軸棒２７０は、ケース２７２の軸筒部２７４に軸支される。
【００８６】
軸棒２７０の中間部には、サード歯車２２６が軸支される。このサード歯車２２６の小平歯車部２２８には、インナー歯車２１４が噛合され、その大平歯車部２３０には、ケース２７２の後ろ側に設けた回転モータ２４４のモータ歯車２５２が噛合される。
【００８７】
また、ベース歯車２０２にはケース２７２の後ろ側に設けた旋回モータ２４２のモータ歯車２４６が噛合される。
【００８８】
（回転位置検出）
上述のベース歯車２０２の軸棒２７０の自由端部には、円板状のセンサ板２７６が取り付けられ、このセンサ板２７６の回転位置を検出するための旋回位置センサ２６６が配置される。
【００８９】
また、サード歯車２２６の側面には、軸棒２７０と同軸に円筒状のセンサ体２７８が設けられる。このセンサ体２７８の軸棒２７０を軸とした回動位置を検出するために、回転位置センサ２６８が配置される。
【００９０】
このように本第３実施例では、回転体５６の後方位置に重なるように、旋回モータ２４２、回転モータ２４４、旋回位置センサ２６６、及び回転位置センサ２６８を設けたので、回転式表示装置全体としての横幅寸法を低減できる。また、図１８、及び図１９に示すように、本第３実施例における回転式表示装置を３個並べて一体的に配置構成し、これら３個の表示装置を総合的に動作制御するように構成することもできる。このように３個並べて構成したものは、図１８に示す如く、例えばパチンコ機の遊技盤１０の所定部所に穿設した開口部２８０に取り付けられる。このとき、遊技盤１０の表面と、回転体５６をカバーするカバー部材６０の表面とが略面一となるようにされる。
【００９１】
次に、本第３実施例の作用、及び動作を説明する。まず、回転モータ２４４を回動制御すると、その駆動力がモータ歯車２５２からサード歯車２２６、インナー歯車２１４、小軸棒２０８、傘歯車部材２１０、及び傘歯車１８６を通じて伝達され、回転体５６がＹ軸を中心い回動される。さらに、回転体５６の回転位置は、サード歯車２２６と一体に回動するセンサ体２７８の回動位置を回転位置センサ２６８で検出することにより特定できる。
【００９２】
また、旋回モータ２４２を回動制御すると、その駆動力がモータ歯車２４６からベース歯車２０２に伝達され、ベース歯車２０２と一体に回転体５６部分と、小軸棒２０８及びインナー歯車２１４等の部分がＸ軸を中心に旋回される。このため、インナー歯車２１４が静止しているサード歯車２２６の小平歯車部２２８に噛合しながら転動することになる。この動作に従って、インナー歯車２１４の回動が小軸棒２０８、及び傘歯車部材２１０と、これに噛合する傘歯車１８６を介して回転体５６に伝達され、回転体５６がＹ軸を中心に回転される。さらに、回転体５６の旋回位置は、ベース歯車２０２の軸棒２７０と一体に回動するセンサ板２７６の回動位置を旋回位置センサ２６６で検知される。
【００９３】
このように回転モータ２４４、及び旋回モータ２４２を共に動作制御して、回転体５６に種々の旋回、回転動作が組み合わさった複雑な動作を行なわせることができる。
【００９４】
なお、本第３実施例における以上説明した以外の構成、作用、及び効果は、前述した第１、及び第２実施例と同等であるので、その説明を省略する。
【００９５】
以下、本発明の第４実施例を図２０、乃至図３５によって説明する。この第４実施例は、回転体の位置検出部分を改良したものである。
【００９６】
（第４実施例）
本第４実施例では、前述した図１〜９に示す第１実施例の回転体、及び駆動機構を用いて構成する。
【００９７】
回転体５６がＹ軸回りに回転したとき、Ｘ軸と交わる円周面部分上には、所定間隔を置いて、被検出群５００が配置される。
【００９８】
各被検出群５００は、回転体５６の外周面上に表された、例えば前述した第１実施例の図９に示す如き各図柄１４８、１５０、１５２、１５４、１５６、１５８等に１対１に対応して配置される。すなわち、回転体５６の各１つの被検出群５００の上に、それぞれ対応する１つの図柄が表示され、各被検出群５００個有の検出信号を検出することにより、これに対応する特定の図柄を検出可能に構成される。
【００９９】
被検出群５００は、例えば最大２１個の異なる信号を発生させるよう構成する場合には、図２２、及び図２３に示すように構成される。すなわち、各被検出群５００は、円周上に配置された識別素子５０２とその円の中心に配置された基準素子５０４とで構成される。
【０１００】
基準素子５０４は、図２２に示す如く、回転体５６が回転したときＸ軸が横切る回転方向線５０６上の所定位置に常に配置される。
【０１０１】
識別素子５０２は、例えば、最大２１個の図柄に対応する場合には、基準素子５０４を中心とする円周上で、回転方向線５０６を基準に円周を８等分した位置のうち、回転方向線５０６上の２箇所を除く６箇所（２、３、４、６、７、８の位置）に、選択的に単数、又は複数配置されるようにする。すなわち、図２３に例示するように、図柄−１の場合には、基準素子５０４の他に円周上７位置のみに識別素子５０２が配置される。また、図柄−２の場合には、基準素子５０４の他に円周上６、７位置に識別素子５０２が配置される。このようにして、図２３に示す如く、最大図柄−１から図柄−２１までの各々異なる配置で識別素子５０２を配設することが可能である。なお、本第４実施例では図柄−１から図柄−１８までの１８個の図柄を回転体５６上に表示するよう構成される。
【０１０２】
基準素子５０４、及び識別素子５０２は、磁石、磁気プリント素子、ホール素子、又は光反射素子等、センサの種類に対応した被検出素子で構成する。
【０１０３】
被検出群５００を検出するための検出センサ５０８は、図２０に示すように、機構支持板５２の旋回軸９４の筒内に、回転体５６の外周面に隣接して配置される。検出センサ５０８の検出部は、図２４に示す如く被検出群５００の基準素子５０４と識別素子５０２とに対応して構成される。すなわち、Ｘ軸上に設けられた第９センサを中心とし、回転方向線５０６を基準に被検出群５００と同径の円周を８等分した位置に、第１〜第８センサが図に向って時計回りの順番に配置して構成される。これら第１〜第９センサは制御回路部に出力信号を送るよう接続構成される。
【０１０４】
次に、本第４実施例の作用、及び制御方法について説明する。本第４実施例では、回転駆動源を駆動し、駆動機構を介して、回転体５６をＹ軸の回りに回転する。これとともに旋回駆動源を駆動し、駆動機構を介して、回転体５６をＸ軸の回りに回転する。すると、各被検出群５００は、Ｘ軸の回りを旋回する回転方向線５０６に沿って、順次図２４〜図３１に示す如く検出センサ５０８を必ず通過する。このとき、図柄−１から図柄−１８までに対応した各々の被検出群５００が、検出センサ５０８上を通過すると、検出センサ５０８に個有の信号が発生する。例えば、回転体５６の回転方向線５０６が図2 ４に示す回転方向角０度（回転方向線５０６が第１から第５センサを横切る方向）であり、図柄−１の被検出群５００が検出センサ５０８を横切る場合には、基準素子５０４が第１センサを通過して第９センサ上に至る。このときの、第１センサと第９センサの出力信号を受けた制御部では、回転体５６の回転方向角が０度であることを検出する。さらに、図２２に示すように基準素子５０４が第９センサ上に至ったときに、識別素子５０２が第７センサ上に至り、第９センサと第７センサとの出力信号が制御部に送られる。すると制御部では、回転方向角が０度であるという条件、及び第９センサ、第７センサの出力信号とに鑑み図柄−１が通過中であることを検出する。また、例えば、回転方向角が０度で、図柄−２の場合には、第９センサ、第６センサ、及び第７センサの出力信号が制御部に送られて、図柄−２であることが検出される。このようにして、他の図柄−３、乃至図柄−１８は、図３２に示す如き出力信号により各図柄が検出される。
【０１０５】
次に、回転体５６がＸ軸回りに回転した図２５及び図３２に示す回転方向角が４５度である場合には、基準素子５０４が第８センサを通過して第９センサ上に至るときの、第１センサと第９センサの出力信号を受けた制御部が、回転方向角が４５度であることを検出する。さらに、基準素子５０４により第９センサの出力信号が発生し、識別素子５０２により第６センサの出力信号が発生した場合には、制御部は図柄−１が回転方向角４５度で通過中であることを検出する。他の図柄−２乃至図柄−１８の場合も同様である。
【０１０６】
次に、図２６及び図３３に示す如く回転方向角が９０度である場合には、基準素子５０４により第７センサ、第９センサの出力信号が発生し、回転方向角が検出され、これとともに、識別素子５０２により、第５センサの出力信号が発生すれば、図柄−１が通過中であることを検出する。また、他の図柄−２乃至図柄−１８の場合も同様である。
【０１０７】
次に図２７及び図３３に示す場合には、基準素子５０４により第６センサ、第９センサの出力信号が発生し、回転方向角が１３５度であることが検出される。さらに、識別素子５０２により、第４センサの出力信号が発生すれば、図柄−１が通過中であることを検出する。また、他の図柄−２乃至図柄−１８の場合も同様に検出する。
【０１０８】
次に図２８及び図３４に示す場合には、基準素子５０４により第５センサ、第９センサの出力信号が発生し、回転方向角が１８０度であることが検出される。さらに、識別素子５０２により、第３センサの出力信号が発生すれば、図柄−１が通過中であることを検出する。また、他の図柄−２乃至図柄−１８の場合も同様に検出する。
【０１０９】
次に図２９及び図３４に示す場合には、基準素子５０４により第４センサ、第９センサの出力信号が発生し、回転方向角が２２５度であることが検出される。さらに、識別素子５０２により、第２センサの出力信号が発生すれば、図柄−１が通過中であることを検出する。また、他の図柄−２乃至図柄−１８の場合も同様に検出する。
【０１１０】
次に図３０及び図３５に示す場合には、基準素子５０４により第３センサ、第９センサの出力信号が発生し、回転方向角が２７０度であることが検出される。さらに、識別素子５０２により、第１センサの出力信号が発生すれば、図柄−１が通過中であることを検出する。また、他の図柄−２乃至図柄−１８の場合も同様に検出する。
【０１１１】
次に図３１及び図３５に示す場合には、基準素子５０４により第２センサ、第９センサの出力信号が発生し、回転方向角が３１５度であることが検出される。さらに、識別素子５０２により、第８センサの出力信号が発生すれば、図柄−１が通過中であることを検出する。また、他の図柄−２乃至図柄−１８の場合も同様に検出する。
【０１１２】
上述のようにして、本第４実施例の制御部では、回転体５６がＸ軸とＹ軸との回りに回動しても必ず検出センサ５０８の位置に被検出群５００が通り、これらが一致する位置に来たときに、この被検出群５００に対応する図柄が何であるかを検出できる。よって、制御部により、回転駆動源、及び旋回駆動源であるステップモータを駆動制御することにより、回転体５６上に表示された所望の図柄を所望の回転方向角に向けてカバー部材の窓部から表示させることができる。又は、回転体５６を回動し、任意の位置に停止した際、カバー部材の窓部から表示されている回転体５６上の図柄が何であるか、又図柄の向いている回転方向角度を検出することができる。
【０１１３】
また、制御部により回転駆動源、及び旋回駆動源を駆動制御する際、制御信号と各ステップモータの動作との間に誤差を生じても、各図柄に対応した被検出群との関係で補正できるので、制御動作を向上することができる。さらに、回転体５６の被検出群５００を直接検出センサ５０８で検出するので、回転体５６の駆動機構を構成する歯車の位置合せ等の複雑な調整が不用となり、組立作業を容易にできる。
【０１１４】
なお、本第４実施例における以上説明した以外の構成、作用、及び効果は、前述した第１実施例と同等であるので、その説明を省略する。
【０１１５】
（第５実施例）
次に、本発明の第５実施例を図３６及び図３７によって説明する。本第５実施例は、一つの駆動源で回転体をＸ軸をＹ軸の回りに回動できるように構成したものである。
【０１１６】
本第５実施例では、前述した図１、図３、図４、図５、図６、及び図７に示す第１実施例の回転体５６を用いて構成する。
【０１１７】
（駆動機構）
回転体５６に固着された軸棒８４の両端近部は、それぞれ、保持フレーム８６の軸受部８８に軸支される。保持フレーム８６の中央部には、図示するように筒軸部３７２を設け、この筒軸部３７２を駆動源３７４の主軸３７６に固着する。
【０１１８】
回転体５６の軸棒８４の両端部にはそれぞれ転動部材である回転体固定歯車９０を固着する。なお、この２つの回転体固定歯車９０のうち１つを軸棒８４に対し回動自由に軸支するように構成しても良い。
【０１１９】
回転体５６と共にＸ軸を中心に回動する転動部材である回転体固定歯車９０の回動軌跡に対応して、図示するようにハウジング５０の側壁部から内側に固定部材である固定歯車３７８が突設される。固定歯車３７８は環状でその自由端周面には歯部３８０が設けられる。この固定歯車の歯部３８０には、回転体固定歯車９０が噛合され、回転体５６の回動に伴って、回転体固定歯車９０が環状の歯部３８０上を転動し、これに伴って、回転体５６がＹ軸を中心に回動するように構成される。
【０１２０】
（回転体位置検出）
ハウジング５０の駆動源３７４を設置した側面部所定位置には、位置検出センサ３８２を設置する。位置検出センサ３８２に対応した保持フレーム８６の所定対応位置には被検出体３８４を設置し、位置検出センサ３８２の直上を被検出体３８４が通過したときを検出する。
【０１２１】
この位置検出センサ３８２の出力信号は、表示制御回路部に送られ、位置検出センサ３８２の直上に被検出体３８４が位置したときを原点とし、駆動源３７４の回転角度をステップ数から算出する。そして、回転体のＸ軸回りの回転数と、Ｙ軸回りの回転数と、回転体５６が停止したときの方向状態を、回転体固定歯車９０と、固定歯車３７８の歯部３８０とのギヤ比から算出する。なお、駆動源３７４自体が原点検知機能を有する場合も、上述と同様にギヤ比から回転体５６の停止した方向状態を算出できる。
【０１２２】
次に、本第５実施例の作用、及び動作を説明する。まず、駆動源３７４を回動制御することにより、その主軸３７６と一体に保持フレーム８６がＸ軸の回りに回動する。これと同時に回転体５６のＸ軸回りの回動に伴って、回転体固定歯車９０が固定歯車３７８の歯部３８０上を転動するので、回転体固定歯車９０と一体に回転体５６がＹ軸の回りに回動する。
【０１２３】
回転体５６のＸ軸、及びＹ軸回りの回動動作は、駆動源３７４の回転数並びに回転体固定歯車９０と固定歯車３７８の歯部３８０とのギヤ比により一義的に定まるので、駆動源３７４の回転数（回転角度）から、任意の位置に停止した回転体５６の方向状態を検知し、又は、回転体５６を所望の方向状態にセットすることができる。
【０１２４】
本第５実施例では、上述のように構成することにより、単一の駆動源によって、回転体をＸ軸とＹ軸との異なる２軸方向に回転運動と旋回運動を同時に行なわせることができる。よって、各軸に対応して２つの駆動源を設けたものに比し、駆動源を１つ削減できるので、構造を簡素にし、廉価な製品を提供できる。
【０１２５】
なお、本第５実施例における以上説明した以外の構成、作用、及び効果は、前述した第１実施例と同等であるので、その説明を省略する。
【０１２６】
（第６実施例）
次に、本発明の第６実施例を図３８、及び図３９によって説明する。本第６実施例は、回転体５６の外周部に、回転体５６の旋回角度位置（回転方向）を表示する外周表示手段を設けたものである。
【０１２７】
図３８に示すように、回転体５６を回動するための駆動機構における保持フレーム８６の軸受部８８側には、表示周部３８６が一体に形成される。表示周部３８６は、環状に形成され、その開口周端部は、ハウジング５０における回転体５６を覗かせる円形開口窓部３８８近傍に臨まされる。表示周部３８６における回転体５６の回転軸８４と直交する直径方向、すなわち、回転体５６のＹ軸回りの回転方向には、図３９にも示すように三角形状の目印部材である矢印部材３９０を設置する。
【０１２８】
また、他の構成例として、図４０に示すように、保持フレーム８６にフランジ部分を有する環状の平側面表示周部３９２が一体に形成された構成としても良い。この場合には、図４１に示すように平側面表示周部３９２の外側周平面部の図３８と図３９と同様の所定位置に矢印３９４を表示する。
【０１２９】
またハウジング５０の円形開口窓部３８８の外側面周部には、図３９及び図４１に示すように、円周を２４ブロックに分割して、０〜２３までの数字である分割目盛を表示する。
【０１３０】
次に、本第６実施例の作用及び動作を説明する。本第６実施例では、回転体５６がＸ軸の回りに回動されると、回転体５６の回転軸８４を軸支する軸受部８８を有する保持フレーム８６も一体となってＸ軸の回りに回動する。
【０１３１】
このため、矢印部材３９０、又は矢印３９４もＸ軸の回りに回動することになり、かつ矢印部材３９０、又は矢印３９４は、常に回転体５６のＹ軸の回りの回動方向を示すことになる。
【０１３２】
そして、回転体５６が停止したときに矢印部材３９０、又は矢印３９４が指し示す円形開口窓部３８８の外側面周部に表示した数字が、回転体５６の向いた方向として特定される。なお、回転体５６がＸ軸の回りに回る旋回運動中では、回転体５６のＹ軸の回りの回動方向現在位置を表示することになる。
【０１３３】
上述のように構成することにより、回転体５６のＸ軸回りの停止位置を細かく分割（例えば、３６分割等）設定した場合には、回転体５６の旋回停止位置を目視で判別することが困難であるが、矢印部材３９０、又は矢印３９４が指し示す分割目盛の数字を読めば、回転体５６の回動方向を容易に判別できる。
【０１３４】
さらに、回転体５６が旋回運動中の旋回方向を時々刻々知ることが容易になるので、回転体５６に表示された図柄が当りの状態で停止するか否かの予想を付けることができるため、遊技者がゲームに興ずるようにできる。
【０１３５】
なお、本第６実施例における以上説明した以外の構成、作用、及び効果は、前述した第１実施例と同等であるので、その説明を省略する。
【０１３６】
（第７実施例）
次に、本発明の第７実施例を図４２、乃至図４４によって説明する。本第７実施例は、回転体５６の外周部に設ける外周表示手段としての外周回転表示機構を設けたものである。
【０１３７】
図４２に示すものでは、ハウジング５０内のカバー部材６０の裏側で回転体５６の回りに、外周回転表示盤３９６が装着される。
【０１３８】
外周回転表示盤３９６は、巾広環状で、その外周部には平歯車の歯部３９８が形成され、図示しない軸受手段により、Ｘ軸を中心に回動自由に軸支される。図４４に示すように外周回転表示盤３９６の外側平面部は、２４のブロックに分割され、各ブロックにはそれぞれ、図示するような４個の当り記号４００、又は星形の外れ記号４０２が表示される。
【０１３９】
外周回転表示盤３９６の歯部３９８は、駆動歯車４０４に噛合される。駆動歯車４０４はハウジング５０の図で右側側面に設けたモータである表示盤駆動源４０６の長軸４０８の自由端部に固着される。
【０１４０】
外周回転表示盤３９６のＸ軸回りの回動位置は、表示盤駆動源４０６の回転数（回転角度）並びに歯部３９８と駆動歯車４０４のギヤ比により一義的に定まるので、制御回路部により外周回転表示盤３９６を所要の回動位置に停止させ、又は任意の位置に停止した外周回転表示盤３９６の回動位置が検出されるようにする。
【０１４１】
（駆動機構）
回転体５６に固着された軸棒８４の両端近部は、それぞれ、保持フレーム８６の軸受部８８に軸支される。保持フレーム８６の中央部には、図示するように軸部３２０を一体に突設する。軸部３２０には、動力伝達のためモータである旋回駆動源９８の駆動軸が固着される。
【０１４２】
さらに、回転体５６の軸棒８４の両端部には、動力伝達のためにそれぞれ回転体固定歯車９０を設ける。なお、これら２つの回転体固定歯車９０のうち、一方を軸棒８４に対し、回動自由に軸支させて構成しても良い。回転体固定歯車９０は、介在歯車１０２の歯車１０６に噛合される。介在歯車１０２は半球形状に構成され、その大きく開いた開口周部に歯車１０６が形成されている。
【０１４３】
介在歯車１０２の中央部に設けられた軸筒部１０４は、機構支持板５２に筒状に一体に突設された軸受筒部３２２に挿通し、軸支される。
【０１４４】
介在歯車１０２の軸筒部１０４には、つば状に突設され外周部に歯を形成した平歯車部３２４を設ける。平歯車部３２４は、モータである回転駆動源１１０の駆動歯車１１２に噛合して構成される。
【０１４５】
次に、上述のように構成した、駆動機構の作用、及び動作を説明する。まず回転駆動源１１０を回動制御すると、その駆動力が駆動歯車１１２から保持フレーム８６を開始、回転体固定歯車９０に伝達され、回転体固定歯車９０と一体の回転体５６をＹ軸の回りに回動する。
【０１４６】
また旋回駆動源９８を回動制御すると、その駆動軸と一体の保持フレーム８６が直接回動され、回転体５６がＸ軸の回りに旋回される。
【０１４７】
また、本第７実施例を構成する場合には、図４３に例示するように構成しても良い。図４３に示すものでは、ハウジング５０内のカバー部材６０の裏側に、Ｘ軸を中心に回動自由に装着された外周回転表示盤３９６の外周部を斜状に切除して傘歯車の歯部４１０が形成される。この歯部４１０には、駆動傘歯車４１２が噛合される。駆動傘歯車４１２は、ハウジング５０の図で上側側面に設けたモータである表示盤駆動源４０６の軸４１４に固着される。
【０１４８】
次に、本第７実施例の作用、及び動作を説明する。表示盤駆動源４０６を回動制御して駆動軸４０８、４１４を回動する。すると、駆動軸４０８、４１４と一体の駆動歯車４０４、４１２に噛合して回動力が伝達された外周回転表示盤３９６がＸ軸の回りに回動する。そして、表示盤駆動源４０６を所要の回転数（回転角度）の位置で停止させることにより、外周回転表示盤３９６を所望の回動位置に停止させることができる。これにより、外周回転表示盤３９６上に表示された特定の当り記号４００を所望の回動位置にセットすることができる。又は、任意の位置に外周回転表示盤３９６が停止したとき、表示盤駆動源４０６の回転数（回転角度）を検出して、外周回転表示盤３９６の回動位置を検知することができる。これにより、外周回転表示盤３９６上に表示された特定の当り記号４００の位置を検出することができる。
【０１４９】
なお、本第７実施例における以上説明した以外の構成、作用、及び効果は、前述した第１実施例と同等であるので、その説明を省略する。
【０１５０】
（第８実施例）
次に、本発明の第８実施例を図４５乃至図５２によって説明する。本第８実施例は、回転体５６に、複数の図柄を表示した回転式表示装置をパチンコ機に装着し、ゲームを進行する手段に係るものである。
【０１５１】
本第８実施例では、回転式表示装置をパチンコ機に用いるため、カバー部材の前面に、図４５に示す如き飾り部材５５０を設置する。
【０１５２】
（図柄）
図柄は、回転体５６の回転方向の円周を６分割し、そのうちの４箇所に約定上の意味としての当り図柄を表示する。すなわち、当り図柄の図４６に例示するものでは、回転体５６が図の上から下に回動するとき正立して表示される数字の７である。また図４７に例示するものでは、回転体５６が図に向って左から右に回動するとき正立して表示されるヴィクトリーマークである。図４８に例示するものでは、回転体５６が図に向って右から左に回動するとき正立して表示されるビッグマークである。図４９に例示するものでは、回転体５６が図の下から上に回動するとき正立して表示されるエースマークである。
【０１５３】
（外周表示手段）
回転体５６の周囲の中心角３０度づつに区切って１２分割された部位には、それぞれＬＥＤ等で構成した表示灯１４４が配置される。
【０１５４】
上述のような図柄を表示した回転体と、外周表示手段とを有する回転式表示装置は、回転駆動源と、旋回駆動源とを駆動制御することにより、回転体５６をＸ軸と、Ｙ軸との回りに回動する。このとき、回転体５６は図５０に例示するようにＸ軸とＹ軸との回りに複雑な回動動作を行なう。これとともに、図５０に例示するように制御部の指令により、複数の表示灯のうち、所要の表示灯が点灯される。
【０１５５】
なお、本第８実施例では、図柄が１２個の表示灯１４４のいずれかに向くよう対応した旋回位置で停止するよう制御されるとともに、回転体５６が所定の６箇所で停止するよう制御される。この場合には、１２個の表示灯１４４の点灯位置を第１条件とする。また、回転体５６が１２個のＸ軸回りの旋回停止位置のいずれで停止するかを第２条件とする。さらに回転体５６の６分割されたＹ軸回りの回転停止位置のいずれで停止するかを第３条件とする。このように、第１条件が１２分の１、第２条件が１２分の１、第３条件が６分の１の確率で、当り図柄が４通りある場合には、当り確率は、２１６分の１になる。なお、第１、第２、及び第３の各確率を各々変更することにより、所望の当り確率を作ることができる。
【０１５６】
次に、上述のような回転式表示装置をパチンコ機に用いたときの、ゲームの流れに沿った回転式表示装置の作用、及び動作について図５１及び図５２によって説明する。
【０１５７】
まずパチンコ機の電源を投入してゲームを始める（ステップ５５２）。ゲーム進行中にパチンコ球が始動口に入賞される（ステップ５５４）。するとその信号を受けた制御部では、回転式表示装置の回転体が回動し、図柄が変動中か否かを判断する（ステップ５５６）。そして、図柄が変動中の場合には、始動口入賞を保留しておく、保留処理（ステップ５５８）を行なう。また図柄が変動中でない場合には、保留中か否かの判断をし（ステップ５６０）、保留中の場合には、保留処理（ステップ５５８）を行なう。保留中でないと判断（ステップ５６０）された場合には、当りの判定を高確率で行なうか否かを判断する（ステップ５６２）。そして、高確率の場合には、短縮変動処理（ステップ５６４）を実行し、高確率でない場合には通常変動処理（ステップ５６６）を実行する。短縮変動処理（ステップ５６４）は、１２個の表示灯１４４が順番に１つづつ点灯して回るようにする制御を２秒間実行する。これとともに、回転体５６をＸ軸の回りに旋回させる動作を１秒行なう。このとき、表示灯１２６を順番に回る如く点灯させる操作は、表１に例示するように、１、低速、２、中速、３、中高速、４、高速の４段階に設定できるので、初め高速で回る如くし、後半には低速度で回る如く点灯させるようにして、表示灯１４４が点灯され操作が停止されるようにする。
【０１５８】
また、回転体５６を回動させる動作は、表１に例示するように、Ｓ、超低速、１、低速、２、中速、３、中高速、４、高速の５段階に設定できる。このため、ここでは、表２に示すように、回転体５６を回転する速度を、１低速から、４高速まで４段階に順に上げ、後半では、４高速から、Ｓ超低速まで５段階に順に下げてから停止し、図柄を表示するようにする。
【０１５９】
通常変動処理（ステップ５６６）は、表示灯１４４の点灯制御を５、５秒間実行する。これとともに、回転体５６のＸ軸回りの旋回動作を２秒間行なう。そして、表示灯１４４は前述と同様に初め高速で動作させ、終りに低速となって停止するよう制御する。また、回転体５６は表２に示す前述と同様に初め、１低速から、４高速まで速度を上げ、後半では、４高速から、Ｓ超低速まで速度を下げて停止するようにする。なお、表２の数値は、回転駆動源が回転体５６を回動する動力は減速されず、旋回駆動源が回転体５６を回動する動力は１０分の１に減速される場合を示している。
【０１６０】
次に、第１条件の表示灯１２６点灯位置と、第２条件の回転体５６の旋回停止位置とが、当りに適合したリーチ状態か否かを判断する（ステップ５６８）。すなわち、リーチ状態とは、図４６〜図４９に示すように、表示灯１４４が図柄のＹ軸回りの回転方向位置に点灯した状態である。なお、図示するものは、より表示との関係を明らかにするため、各図柄の基準線５５１に対応する２つの表示灯１４４も点灯させている。また、表示灯１４４の点灯位置は図示するものに限られるものではなく、１２個のうちのどの表示灯１４４が点灯されていても良く、点灯位置と回転体５６の回転方向が対応していればリーチ状態となる。
【０１６１】
リーチ状態でないと判断した場合には、その０．２５秒後に回転体５６のＹ軸回りの回転を停止し、始動口入賞（ステップ５５４）の前に戻る（ステップ５７０）。
【０１６２】
また、リーチ状態である場合には、表示灯１４４のリーチモードを表示する点灯表示処理を行なう（ステップ５７２）。
【０１６３】
次に、回転体５６をＹ軸回りに中速で３．６〜４．９秒の間、すなわち３〜４回転させる（ステップ５７４）。次に、回転体５６を低速で４．８秒の間、すなわち２回転させる（ステップ５７６）。
【０１６４】
次に、停止させようとする特定の図柄より、３個前の図柄より、超低速で回転体５６を２．４秒の間回転させる（ステップ５７８）。
【０１６５】
次に、スーパーリーチか否かを判断する（ステップ５８０）。スーパーリーチでない場合には、回転体５６の回転動作を停止し（ステップ５８２）、次の判定ステップ５８４へ進む。
【０１６６】
なお、回転体５６のＹ軸回りの回転動作は、表１に示すように正転７段階、逆転６段階に設定可能にされている。この回転体５６のＹ軸回りの回転動作は、回転駆動源と、旋回駆動源との相対的な回転動作によって決定される。このため、正転の７段階を以下のように設定する。まず１’として、回転駆動源の回転数１０（ｒｐｍ）（旋回駆動源の２、中速に対応させる）。２’として、回転駆動源：１９（ｒｐｍ）（旋回駆動源：１、低速）。３’として、回転駆動源：２０（ｒｐｍ）（旋回駆動源：１、低速）この場合には回転体は停止する。４’として、回転駆動源：２８（ｒｐｍ）（旋回駆動源：２、中速）。５’として、回転駆動源：４０（ｒｐｍ）（旋回駆動源：３、中高速）。６’として、回転駆動源：５４（ｒｐｍ）（旋回駆動源：３、中高速）。７’として、回転駆動源：１００（ｒｐｍ）（旋回駆動源：４、高速）とする。
【０１６７】
また、逆転の場合は、表１に示すように１、超低速、２、低速、３、中速、４、中高速、５、高速、６、超高速、に設定する。
【０１６８】
【表１】
0003808519.tif 000002
【０１６９】
【表２】
0003808519.tif 000003
【０１７０】
そして、回転駆動源の制御動作は、例えば表２に示すように行なわれる。すなわち、旋回駆動源の回動開始とともに回転駆動源の速度モードを３’とする。これにより回転体はＹ軸回りの回転動作を停止してＸ軸回りに旋回する。この後表２に示すように回転体を正転させその速度を上げてからまた減速し、旋回駆動源を停止させる直前に回転体を逆転させ、高速で逆転させる状態から減速し、停止させるという動作を行なわせるようにする。
【０１７１】
次に、前述のステップ５８０で、スーパーリーチと判断した場合には、回転体５６を低速で半回転させる（１〜２秒の間）（ステップ５８６）。次に回転体５６を中速で２〜３回転させる（２．４〜３．６秒の間）（ステップ５８８）。次に、回転体５６を低速で半回転させる（１〜２秒の間）（ステップ５９０）。
【０１７２】
次に、停止パターンの選択処理（ステップ５９２）を行ない、第１の選択枝を選択した場合には、回転体５６の回転動作を一旦停止し、０．３５秒後に、半図柄分進むよう回動して停止する（ステップ５９４）。第２の選択枝を選択した場合には、回転体５６の回転動作をすみやかに停止する（ステップ５９６）。第３の選択枝を選択した場合には、回転体５６の回転動作を一旦停止し、０．３５秒後に半図柄戻って停止する（ステップ５９８）。
【０１７３】
次に、ステップ５９４、ステップ５９６、ステップ５９８、又はステップ５８２の処理後にステップ５８４に進み、当りか否かの判定を行なう。外れの場合には、ステップ５５４の前に戻ってパチンコ球が始動口に入賞するまで待機する。また、当りの場合には、大役処理を行なう（ステップ６００）。
【０１７４】
次に電源が切か否かを判断し（ステップ６０２）、切でない場合は、ステップ５５４の前に戻ってパチンコ球が始動口に入賞するまで待機する。また切の場合には、動作を終了する（ステップ６０４）。
【０１７５】
上述した本第８実施例では、回転体５６のＸ軸回りの旋回停止位置を第２条件とし、Ｙ軸回りの回転停止位置を第３条件としていた。しかし、本第８実施例は、他の構成例として、回転体５６のＹ軸回りの回転停止位置を第２条件とし、Ｘ軸回りの旋回停止位置を第３条件として構成しても良い。このように第２、第３条件を入れ替えて構成した場合でも、第１、第２、及び第３条件の全ての当り確率は変化しない。但し、第２条件の確率が１２分の１から６分の１に変る。この構成においては、第１条件の表示灯１４４の１つが点灯し、第２条件の図柄、例えば大当りとなる図柄７が特定されると、この大当りとなる可能性のある図柄７がＸ軸回りに旋回し、この図柄７が表示灯１４４の点灯位置に適合する位置で停止すれば第３の条件が揃って大当りとなるので、この図柄７がＸ軸回りに旋回する動作は、パチンコ機の遊戯者に強烈なアピール効果を奏する。なお、図柄７が表示灯１４４の適合位置に停止する確率は１２分の１である。また、上述の如く当り図柄を正面に表示した状態でＸ軸の回りに旋回する動作はデモンストレーション用の表示手段としても有効である。
【０１７６】
なお、本第８実施例は、前述した回転式表示装置の構成を利用して実施できるものであり、本実施例における以上説明した以外の構成、作用、及び効果は前述した実施例と同様であるので、その説明を省略する。
【０１７７】
（第９実施例）
次に、本発明の第９実施例を図５３乃至図５６によって説明する。本第９実施例は、回転体５６に、複数の図柄を表示した回転式表示装置により、ゲームを進行する手段に係るものである。
【０１７８】
本第９実施例では、回転体５６の回転方向の円周を６分割し、そのうちの４箇所に当り図柄であるビッグマーク、ヴィクトリーマーク、数字の７、エースマークを表示する。
【０１７９】
また、回転体５６の周囲には、図５３に示す如き外周回転表示盤３９６を装着する。この外周回転表示盤３９６の外側面面部は２４のブロックに分割し、各ブロックには上述した４つの当り図柄に対応する４個の当り記号４００が四等分位置に配置され、その他の部位には、星形の外れ記号４０２が表示手段として表示される。
【０１８０】
また、外周回転表示盤３９６の外側で図に向って上下左右の四方位置には、それぞれ外周表示の当り位置印５２０を配置して構成する。
【０１８１】
次に本第９実施例の作用及びゲームの構成について説明する。本第９実施例では、外周回転表示盤３９６の当り記号４００が、当り位置印５２０に一致する位置に停止することが第１条件とされる。また、回転体５６に表示された四つの当り図柄の回転方向が、各自対応する当り記号４００に一致して停止することが第２条件とされる。そして第１条件と第２条件とが同時に満たされたときに、当りとされる。
【０１８２】
外周回転表示盤３９６は、図５３〜図５６に示すように、図に向って時計方向に回動した後停止する。そして、図５３、又は図５４に例示する如く当り記号４００と当り位置印５２０とが一致すれば第１条件が成立する。また、図５５、又は図５６に示すように当り記号４００と当り位置印５２０とが一致しなければ外れとなる。
【０１８３】
回転体５６はＸ軸の回りに旋回する（図に向って反時計方向に回動する）とともに、Ｙ軸の回りに回転する（図に向って右から左に回転する）。この回転、旋回動作を同時に実行することによって、図柄を種々の方向に動かした後停止する。そして、図５３に示す如く、回転体５６の約定上の意味としての当り図柄のビッグマークの回転方向が同じくビッグマークの当り記号４００に一致し、又は図５４に示す如くヴィクトリーマークの回転方向が同じくヴィクトリーマークの当り記号４００に一致すれば第２条件が成立する。なお、図柄の数字の７、又はエースマークが出ても、図５５、又は５６に例示するように、これらの図柄の回転方向が外れ記号４０２に向いている場合には、外れとされる。本第９実施例では、外周回転表示盤３９６の４個の当り記号４００が当り位置印５２０と一致する確率は２４分の４である。また、当り図柄の回転方向が対応する当り記号４００と一致する確率は２４分の１である。さらに、回転体が停止して特定の当り図柄が表示される確率は６分の１であり、当り図柄は４個である。よって、全体の当り確率は２１６分の１に設定できる。このように低確率の組み合わせを、回転体５６と、外周回転表示盤３９６という簡素な構成でしかも少数の図柄で多数の表示形態を実現でき、表示器を小形化できる。
【０１８４】
なお、本第９実施例は、前述した回転式表示装置の構成を利用して実施できるものであり、本実施例における以上説明した以外の構成、作用、及び効果は前述した第８実施例及びその他の実施例と同様であるので、その説明を省略する。
【０１８５】
（第１０実施例）
次に、本発明の第１０実施例を図５７、乃至図５９によって説明する。本第１０実施例は、回転体５６を異る２軸方向に回転、旋回させた後、停止した位置で当り、外れを決めるようにするものである。
【０１８６】
本第１０実施例では、回転体５６のＹ軸から最も離間した外周面部を中心角４０度づつに９個のブロックに分割する。９個のブロックには、１個の大当りの文字６０６と８個の外れ図柄６０８を表示する。
【０１８７】
また、回転体５６を納めたカバー部材６０における、回転体５６の周囲には、目盛り板６１０を配置する。この目盛り板６１０の外表面部には中心角１５度づつに区切って２４分割した目盛り６１２を設ける。さらに目盛り６１２における図５７に向って時計の０時の位置に、当り位置表示６１４を配置する。このように構成し、さらに当り状態を図５７の如く、大当りの文字６０６が中央に正立し、当り位置表示６１４に対応する状態に設定すれば、当り確率を２１６分の１にすることができる。
【０１８８】
なお、図５８にも示すように、回転体５６のＸ軸と、Ｙ軸回りの駆動機構等は、図１等に示す前述した実施例のものと同様である。
【０１８９】
次に、上述のような回転式表示装置をパチンコ機に用いたときの、ゲームの流れに沿った回転式表示装置の作用、及び動作について図５９に示すフローチャートによって説明する。
【０１９０】
まずパチンコ機の電源を投入してゲームを始める（ステップ６２２）。ゲーム進行中にパチンコ球が始動口に入賞される（ステップ６２４）。するとその信号を受けた制御部では、回転式表示装置の回転体が回動し、図柄が変動中か否かを判断する（ステップ６２６）。そして、図柄が変動中の場合には、始動口入賞を保留しておく保留玉処理（ステップ６２８）を行なう。また図柄が変動中でない場合には、保留中か否かの判断をし（ステップ６３０）、保留中の場合には、保留処理（ステップ６２８）を行なう。保留中でないと判断（ステップ６３０）された場合には、当りの判定を高確率で行なうか否かを判断する（ステップ６３２）。そして、高確率の場合には、短縮変動処理（ステップ６３４）を実行し、高確率でない場合には通常変動処理（ステップ６３６）を実行する。短縮変動処理（ステップ６３４）は、回転体５６をＸ軸とＹ軸との回りに同時に回転、及び旋回を開始させる。まず、この回転、及び旋回動作は、低速で動作を開始し、すみやかに高速動作に移行する。この高速動作は数秒間維持された後中速動作に移行する。そして、Ｙ軸回りの回転が停止され、このとき回転体５６の前面に表示された図柄がＸ軸を中心に旋回する動作を行なう。
【０１９１】
通常変動処理（ステップ６３６）は、まず、回転体５６をＹ軸回りに低速で回転を開始し、すみやかに中速動作に移行する。この後、回転体５６をＸ軸回りに低速で回転を開始し、すみやかに中速動作に移行する。この後、回転体５６をＸ軸と、Ｙ軸との回りに中速で回転していた動作を、すみやかに高速動作に移行する。次に、回転体５６のＸ軸とＹ軸との回りの高速回転動作を除々に中速動作に移行する。この後、回転体５６のＹ軸回りの回転が停止され、このとき回転体５６の前面に表示された図柄がＸ軸を中心に旋回する動作を行なう。
【０１９２】
次に、回転体５６の前面に表示された図柄が当り図柄になり、リーチ状態となっているか否かを判断する（ステップ６３８）。そして、約定上の意味であるリーチ状態でないと判断した場合には、直ちに回転体５６のＹ軸回りの回転を停止し、始動口入賞（ステップ６２４）の前に戻る（ステップ６４０）。
【０１９３】
また、リーチ状態である場合には、Ｙ軸回りの回転動作リーチ変動処理を行なう（ステップ６４２）。このリーチ変動処理は、回転体５６の回転動作を除々に低速変動にし、この後、回転体５６を超低速で数回転させた後、停止する処理である。
【０１９４】
次に、スーパーリーチか否かを判断する（ステップ６４４）。そしてスーパーリーチでない場合には、回転体５６の回転を停止し（ステップ６４６）、次の当り判定のステップ６４８に移行する。またスーパーリーチである場合には、回転動作スーパーリーチ変動処理を実行する（ステップ６７０）。スーパーリーチ変動処理は、回転体５６のＹ軸回りの回転を超低速にしてから一旦停止させた後、すみやかに高速回転させる。この後、回転体５６の高速回転を除々に減速し、低速に至ってから停止する処理である。
【０１９５】
次に、当り判定を行ない（ステップ６４８）、外れのときには、ステップ６２４の前に戻ってパチンコ球が始動口に入賞するまで待機する。また当りの場合には、大当り処理を行なう（ステップ６５０）。大当り処理は、当り図柄を回転体５６の正面に表示し、図５７に示すように大当りの文字６０６が回転体５６の中央に当り位置表示６１４の向きに向くようにされた状態で停止する。この後、回転体５６をＸ軸回りにゆっくりと１回だけ旋回する。
【０１９６】
次に、大入賞口を開放する動作（第１回目）を行なう。この後、大入賞口開放動作を終了し、次の大入賞口開放動作を開始するまでのインターバル期間中に、回転体５６をＸ軸の回りに１回旋回する。
【０１９７】
次に、大入賞口開放動作（第２回目）を開始する。このようにして、大入賞口開放動作を例えば全部で１８回まで繰り返し、大当り処理を完了する。
【０１９８】
次に電源切か否かを判断し（ステップ６５２）、電源切でない場合には、ステップ６２４の前に戻ってパチンコ球が始動口に入賞するまで待機する。また、電源切の場合には、動作を終了する（ステップ６５４）。
【０１９９】
なお、上述した図５９に示すフローチャートによる動作説明では、回転体５６のＹ軸回りの回転が先に停止し、後にＸ軸回りの旋回が停止するように動作するようにされている。しかし、これとは逆に、回転体５６のＸ軸回りの旋回が、短縮変動処理（ステップ６３４）、又は通常変動処理（ステップ６３６）で停止され、この後に、Ｙ軸回りの回転が停止されるように構成しても良い。
【０２００】
なお、本第１０実施例は、前述した回転式表示装置の構成を利用して実施できるものであり、本実施例における以上説明した以外の構成、作用、及び効果は前述した実施例と同様であるので、その説明を省略する。
【０２０１】
（第１１実施例）
次に、本発明の第１１実施例を図６０、乃至図１０３によって説明する。本第１１実施例は、複数の回転式表示装置を用いて、各装置の回転体に表示された図柄と、その表示態様の組み合わせによりゲームを進行するよう構成したものである。
【０２０２】
複数の回転式表示装置を組み合わせる場合には、例えば３個の回転式表示装置を並べて構成した図１３、及び図１４に示す第２実施例、又は図１８、及び図１９に例示した第３実施例のように構成される。そして、図６０に示す如く３個並んだ回転体５６により、各々の図柄が横一列に並んで表示されたときを当りとする。又は、図６１に示す如く、３個の回転体５６を図に向って上に凸の三角形状に配置しても良いし、更には、図６２に示すように３個の回転体５６を図に向って下に凸の三角形状に配置しても良い。
【０２０３】
本第１１実施例では、上述したように３個の回転体５６に各々表示された約定上の図柄が、同一図柄で、かつ同一の回転角度方向に停止した状態を役の成立としてゲームを進行させることを基本とする。
【０２０４】
（第１表示例）
各回転体５６にそれぞれ表示する図柄としては、第１表示例として図６３に示す回転体５６を９０度づつ４分割した区分に４種類の図柄を表示したものを用いることができる。この４個の図示する図柄は、数字の７、エースマーク、ビッグマーク、及びヴィクトリーマークである。この４種の図柄を表示した回転体５６は、Ｘ軸とＹ軸との回りに回転、及び旋回動作され停止することにより、図６４に示す如き表示図柄と、そのＸ軸の回りに４分割された停止回転角度位置との組み合わせによる１６種類の表示態様を表示することができる。よって、３個の回転体５６の図柄表示態様の組み合わせ時における確率を２５６分の１に設定できる。そして、例えば回転体５６の表示態様として、図６５に示すように３個の回転体５６の全てが数字の７を表示し、しかも各数字の７の停止時の回転角度が０度、すなわち正立している表示状態に揃ったときに、役が成立して当りとなるようにする。
【０２０５】
（第２表示例）
次に、第２表示図柄例について、図６６、図６７、及び図６８によって説明する。この第２表示図柄例では、回転体５６に図６６に示す如き２個の図柄、すなわち、数字の７とヴィクトリーマークとを表示する。また、回転体５６のＸ軸回りの旋回停止位置を中心角４５度づつの８分割とする。
【０２０６】
このように構成することにより、回転体５６は、Ｘ軸とＹ軸との回りに回転、及び旋回動作され、停止することにより、図６７に示す如き１６種類の図柄の表示態様を表示することができる。
【０２０７】
よって、３個の回転体５６の図柄表示態様の組み合わせ時における確率を２５６分の１に設定できる。
【０２０８】
そして、例えば回転体５６の表示態様が、図６８に示す如く、３個の回転体５６が全て数字の７を表示し、各数字の停止回転角度が図に向って時計方向に３１５度回動した表示状態に揃ったときに役が成立して当りとなるようにする。
【０２０９】
（第３表示例）
次に、第３表示図柄例について、図６９乃至図７４によって説明する。この第３表示図柄例では、３個の回転体５６にそれぞれ異る図柄を交えて表示するようにしたものである。
【０２１０】
第１の回転体５６に表示する図柄は、図６９に示す如き３個の図柄、すなわち、数字の７と、ビッグマークとヴィクトリーマークとである。また、回転体５６のＸ軸回りの旋回停止位置を中心角９０度づつの４分割とする。
【０２１１】
このように構成することにより、回転体５６は、Ｘ軸とＹ軸との回りに回転、及び旋回動作され、停止することにより、図７０に示す如き１２種類の図柄の表示態様を表示することができる。
【０２１２】
第２の回転体５６に表示する図柄は、図７１に示す如き４個の図柄、すなわち数字の７、特定図柄であるオール７（全ての向きの７に対応する）、ビッグマーク、及びヴィクトリーマークである。また、回転体５６のＸ軸回りの旋回停止位置を中心角９０度づつの４分割とする。
【０２１３】
このように構成することにより、回転体５６は、Ｘ軸とＹ軸との回りに回転、及び旋回動作され、停止することにより、図７２に示す如き１６種類の図柄の表示態様を表示することができる。
【０２１４】
なお、これらの図柄の表示態様中６、１０、１４のオール７の正立でない表示態様は、この場合外れ図柄表示態様とする。
【０２１５】
第３の回転体５６に表示する図柄は、図７３に示す如き４個の図柄、すなわち数字の７、特定図柄であるエヌ・ジーマーク、ビッグマーク、及びヴィクトリーマークとである。
【０２１６】
これらの図柄中、エヌ・ジーマークは全て外れ、すなわち、図７４の図柄の表示態様中２、６、１０、及び１４は外れ図柄表示態様とする。
【０２１７】
また、回転体５６のＸ軸回りの旋回停止位置を、中心角９０度づつの４分割とする。
【０２１８】
このように構成することにより、回転体５６は、Ｘ軸とＹ軸との回りに回転、及び旋回動作され、停止することにより、図７４に示す如き１６種類の図柄の表示態様を表示することができる。
【０２１９】
上述のように各回転体５６ごとの図柄の表示態様を設定することにより、３個の回転体５６に各々表示された図柄が同一図柄で、かつ同一の回転角度方向に停止した表示態様、（但しオール７は例外）のときを当りとすれば当りの数は１６である。また３個の回転体５６により表示される図柄の表示態様の組み合わせの数は３０７２通りである。よって、当り確率は１９２分の１とできる。
【０２２０】
（第４表示例）
次に、第４表示図柄例について、図７５乃至図８０によって説明する。この第４表示図柄例では、３個の回転体５６にそれぞれ異る図柄を交えて表示するようにしたものである。
【０２２１】
第１の回転体５６に表示する図柄は、図７５に示す如き３個の図柄、すなわち、数字の７と、ビッグマークとヴィクトリーマークとである。また、回転体５６のＸ軸回りの旋回停止位置を中心角９０度づつの４分割とする。
【０２２２】
このように構成することにより、回転体５６は、Ｘ軸とＹ軸との回りに回転、及び旋回動作され、停止することにより、図７６に示す如き１２種類の図柄の表示態様を表示することができる。
【０２２３】
第２の回転体５６に表示する図柄は、図７７に示す如き４個の図柄、すなわち数字の７、特定図柄であるオール７（全ての向きの７に対応する）、ビッグマーク、及びヴィクトリーマークである。また、回転体５６のＸ軸回りの旋回停止位置を中心角９０度づつの４分割とする。
【０２２４】
このように構成することにより、回転体５６は、Ｘ軸とＹ軸との回りに回転、及び旋回動作され、停止することにより、図７８に示す如き１６種類の図柄の表示態様を表示することができる。
【０２２５】
第３の回転体５６に表示する図柄は、図７９に示す如き４個の図柄、すなわち数字の７、エヌ・ジーマーク、ビッグマーク、及びヴィクトリーマークである。
【０２２６】
これらの図柄中、エヌ・ジーマークは全て外れとする。
また、回転体５６のＸ軸回りの旋回停止位置を、中心角４５度づつの８分割とする。
【０２２７】
このように構成することにより、回転体５６は、Ｘ軸とＹ軸との回りに回転、及び旋回動作され、停止することにより、図８０に示す如き３２種類の図柄の表示態様を表示することができる。
【０２２８】
上述のように各回転体５６ごとの図柄の表示態様を設定することにより、３個の回転体５６に各々表示された図柄が同一図柄で、かつ同一の回転角度方向に停止した表示態様、（但しオール７は例外）のときを当りとすれば当りの数は４４である。また３個の回転体５６により表示される図柄の表示態様の組み合わせの数は６１４４通りである。よって、当り確率は１３９，６３６分の１とできる。
【０２２９】
（第５表示例）
次に、第５表示図柄例について、図８１乃至図８６によって説明する。この第５表示図柄例では、３個の回転体５６にそれぞれ異る図柄を交えて表示するようにしたものである。
【０２３０】
第１の回転体５６に表示する図柄は、図８１に示す如き３個の図柄、すなわち、数字の７と、ビッグマークとヴィクトリーマークとである。また、回転体５６のＸ軸回りの旋回停止位置を中心角７２度づつの５分割とする。
【０２３１】
このように構成することにより、回転体５６は、Ｘ軸とＹ軸との回りに回転、及び旋回動作され、停止することにより、図８２に示す如き１５種類の図柄の表示態様を表示することができる。
【０２３２】
第２の回転体５６に表示する図柄は、図８３に示す如き４個の図柄、すなわち数字の７、特定図柄であるオール７（全ての向きの７に対応する）、ビッグマーク、及びヴィクトリーマークである。また、回転体５６のＸ軸回りの旋回停止位置を中心角７２度づつの５分割とする。
【０２３３】
このように構成することにより、回転体５６は、Ｘ軸とＹ軸との回りに回転、及び旋回動作され、停止することにより、図８４に示す如き２０種類の図柄の表示態様を表示することができる。
【０２３４】
なお、これらの図柄の表示態様中６、１０、１４のオール７の正立でない表示態様は、この場合外れ図柄表示態様とする。
【０２３５】
第３の回転体５６に表示する図柄は、図８５に示す如き４個の図柄、すなわち数字の７、エヌ・ジーマーク、ビッグマーク、及びヴィクトリーマークである。
【０２３６】
これらの図柄中、エヌ・ジーマークは全て外れ、すなわち、図８６の図柄の表示態様中２、６、１０、１４及び１８は外れ図柄表示態様とする。
【０２３７】
また、回転体５６のＸ軸回りの旋回停止位置を、中心角７２度づつの５分割とする。
【０２３８】
このように構成することにより、回転体５６は、Ｘ軸とＹ軸との回りに回転、及び旋回動作され、停止することにより、図８６に示す如き２０種類の図柄の表示態様を表示することができる。
【０２３９】
上述のように各回転体５６ごとの図柄の表示態様を設定することにより、３個の回転体５６に各々表示された図柄が同一図柄で、かつ同一の回転角度方向に停止した表示態様、（但しオール７は例外）のときを当りとすれば当りの数は２０である。また３個の回転体５６により表示される図柄の表示態様の組み合わせの数は６０００通りである。よって、当り確率は３００分の１とできる。
【０２４０】
（第６表示例）
次に、第６表示図柄例について、図８７乃至図９２によって説明する。この第６表示図柄例では、３個の回転体５６にそれぞれ異る図柄を交えて表示するようにしたものである。
【０２４１】
第１の回転体５６に表示する図柄は、図８７に示す如き３個の図柄、すなわち、数字の７と、ビッグマークとヴィクトリーマークとである。また、回転体５６のＸ軸回りの旋回停止位置を中心角７２度づつの５分割とする。
【０２４２】
このように構成することにより、回転体５６は、Ｘ軸とＹ軸との回りに回転、及び旋回動作され、停止することにより、図８８に示す如き１５種類の図柄の表示態様を表示することができる。
【０２４３】
第２の回転体５６に表示する図柄は、図８９に示す如き４個の図柄、すなわち数字の７、特定図柄であるオール７（全ての向きの７に対応する）、ビッグマーク、及びヴィクトリーマークである。また、回転体５６のＸ軸回りの旋回停止位置を中心角７２度づつの５分割とする。
【０２４４】
このように構成することにより、回転体５６は、Ｘ軸とＹ軸との回りに回転、及び旋回動作され、停止することにより、図９０に示す如き２０種類の図柄の表示態様を表示することができる。
【０２４５】
第３の回転体５６に表示する図柄は、図９１に示す如き４個の図柄、すなわち数字の７、エヌ・ジーマーク、ビッグマーク、及びヴィクトリーマークである。
【０２４６】
これらの図柄中、エヌ・ジーマークは全て外れ、すなわち、図９２の図柄の表示態様中２、６、１０、１４及び２０は外れ図柄表示態様とする。
【０２４７】
また、回転体５６のＸ軸回りの旋回停止位置を、中心角７２度づつの５分割とする。
【０２４８】
このように構成することにより、回転体５６は、Ｘ軸とＹ軸との回りに回転、及び旋回動作され、停止することにより、図９２に示す如き２０種類の図柄の表示態様を表示することができる。
【０２４９】
上述のように各回転体５６ごとの図柄の表示態様を設定することにより、３個の回転体５６に各々表示された図柄が同一図柄で、かつ同一の回転角度方向に停止した表示態様、（但しオール７は例外）のときを当りとすれば当りの数は４０である。また３個の回転体５６により表示される図柄の表示態様の組み合わせの数は６０００通りである。よって、当り確率は１５０分の１とできる。
【０２５０】
（第７表示例）
次に、第７表示図柄例について、図９３乃至図９８によって説明する。この第７表示図柄例では、３個の回転体５６にそれぞれ異る図柄を交えて表示するようにしたものである。
【０２５１】
第１の回転体５６に表示する図柄は、図９３に示す如き３個の図柄、すなわち、数字の７と、ビッグマークとヴィクトリーマークとである。また、回転体５６のＸ軸回りの旋回停止位置を中心角９０度づつの４分割とする。
【０２５２】
このように構成することにより、回転体５６は、Ｘ軸とＹ軸との回りに回転、及び旋回動作され、停止することにより、図９４に示す如き１２種類の図柄の表示態様を表示することができる。
【０２５３】
第２の回転体５６に表示する図柄は、図９５に示す如き４個の図柄、すなわち数字の７、ジャストオールマーク、ビッグマーク、及びヴィクトリーマークである。また、回転体５６のＸ軸回りの旋回停止位置を中心角９０度づつの４分割とする。
【０２５４】
このように構成することにより、回転体５６は、Ｘ軸とＹ軸との回りに回転、及び旋回動作され、停止することにより、図９６に示す如き１６種類の図柄の表示態様を表示することができる。
【０２５５】
第３の回転体５６に表示する図柄は、図９７に示す如き４個の図柄、すなわち数字の７、エヌ・ジーマーク、ビッグマーク、及びヴィクトリーマークである。
【０２５６】
これらの図柄中、エヌ・ジーマークは全て外れとする。
また、回転体５６のＸ軸回りの旋回停止位置を、中心角４５度づつの８分割とする。
【０２５７】
このように構成することにより、回転体５６は、Ｘ軸とＹ軸との回りに回転、及び旋回動作され、停止することにより、図９８に示す如き３２種類の図柄の表示態様を表示することができる。
【０２５８】
上述のように各回転体５６ごとの図柄の表示態様を設定することにより、３個の回転体５６に各々表示された図柄が同一図柄で、かつ同一の回転角度方向に停止した表示態様、（但しジャストオールマークは例外）のときを当りとすれば当りの数は２４である。また３個の回転体５６により表示される図柄の表示態様の組み合わせの数は６１４４通りである。よって、当り確率は２５６分の１とできる。
【０２５９】
（第８表示例）
次に、第８表示図柄例について、図９９乃至図１０４によって説明する。この第８表示図柄例では、３個の回転体５６にそれぞれ異る図柄を交えて表示するようにしたものである。
【０２６０】
第１の回転体５６に表示する図柄は、図９９に示す如き３個の図柄、すなわち、数字の７と、ビッグマークとヴィクトリーマークとである。また、回転体５６のＸ軸回りの旋回停止位置を中心角９０度づつの４分割とする。
【０２６１】
このように構成することにより、回転体５６は、Ｘ軸とＹ軸との回りに回転、及び旋回動作され、停止することにより、図１００に示す如き１２種類の図柄の表示態様を表示することができる。
【０２６２】
第２の回転体５６に表示する図柄は、図１０１に示す如き４個の図柄、すなわち数字の７、特定図柄であるジャストオールマーク、ビッグマーク、及びヴィクトリーマークである。また、回転体５６のＸ軸回りの旋回停止位置を中心角４５度づつの８分割とする。
【０２６３】
このように構成することにより、回転体５６は、Ｘ軸とＹ軸との回りに回転、及び旋回動作され、停止することにより、図１０２に示す如き３２種類の図柄の表示態様を表示することができる。
【０２６４】
第３の回転体５６に表示する図柄は、図１０３に示す如き４個の図柄、すなわち数字の７、エヌ・ジーマーク、ビッグマーク、及びヴィクトリーマークである。
【０２６５】
これらの図柄中、特定図柄であるエヌ・ジーマークは全て外れとする。
また、回転体５６のＸ軸回りの旋回停止位置を、中心角９０度づつの４分割とする。
【０２６６】
このように構成することにより、回転体５６は、Ｘ軸とＹ軸との回りに回転、及び旋回動作され、停止することにより、図１０４に示す如き１６種類の図柄の表示態様を表示することができる。
【０２６７】
上述のように各回転体５６ごとの図柄の表示態様を設定することにより、３個の回転体５６に各々表示された図柄が同一図柄で、かつ同一の回転角度方向に停止した表示態様、（但しジャストオールマークは例外）のときを当りとすれば当りの数は２４である。また３個の回転体５６により表示される図柄の表示態様の組み合わせの数は６１４４通りである。よって、当り確率は２５６分の１とできる。
【０２６８】
次に、前述のように構成した１１実施例の動作方法について説明する。本第１１実施例では、３個組み合わされた回転表示装置の各回転体５６を同時に、Ｘ軸、及びＹ軸回りに回転、及び旋回を開始し、その後、第１の回転体を停止し、さらに第２の回転体５６を停止する。このとき、特に第１、及び第２の回転体５６を図柄、及び回転角度方向より成る表示態様が揃ったリーチ状態となった場合には、第３の回転体５６を停止させる際に、先に停止している第１、及び第２回転体５６に表示された図柄と同一の図柄が第３の回転体５６の前面に表示された状態で、Ｘ軸の回りに旋回をさせた後に、最終的に停止させて、当り、外れの表示をするようにする。
【０２６９】
又は、第１、及び第２の回転体５６の回転角度方向に合致した角度で第３の回転体５６のＸ軸回りの旋回動作を停止させ、この後、第３の回転体５６をＹ軸回りに回転させた後、停止させて、当り、外れの表示をする。このようにリーチとなったときに、Ｘ軸回りの旋回動作、又はＹ軸回りの回転動作のみを停止させ、回転だけ、あるいは、旋回だけの変動動作を行なうことで、Ｘ、Ｙ軸両者の回りに同時に回動する通常の動作と異なった動作表現が可能となり、この回転式表示装置を利用してゲームを行なう遊戯者の興味を引き、飽きさせないようにできる。
【０２７０】
また、前述した表示図柄例にも示したように、第２、第３回転体に例えばオール７、又はジャストオールマークといった共通図柄を表示し、図柄のＸ軸回りの回転角度方向に関係しない当りを設けることにより、ゲーム性を向上できる。また、オール７のように数字７という特定の図柄がターゲットとされるようにして、ゲームの遊び方を理解し易くできる。
【０２７１】
回転式表示装置複数を組にして用いる場合には、各個の回転体５６に表示する図柄の数が少なくても、複数の回転体５６の図柄の表示態様を組み合わせることにより、図柄の組み合わせ数を多数にできる。
【０２７２】
また、各個の回転体５６に表示する図柄の数が少ないので、各回転体５６における、１つの図柄を表示するための面積を広く取ることができるので、図柄を大きく表示できる。さらに同じ大きさの図柄を表示する場合には、従来のように多数の図柄を表示するものに比べ、回転体自体を小形化できる。
【０２７３】
【発明の効果】
発明は上記の構成としたので、回転体の回転開始から停止までに種々の動作パターンを設定でき、図柄が当り状態となる確率を低くし、若しくは図柄が当り状態となるときのバリエーションを多くしても、小形化可能にした回転式図柄表示装置を得ることができる。
【図面の簡単な説明】
【図１】本発明の第１実施例に係る回転式表示装置における、図２のＩ−Ｉ線断面図である。
【図２】前記第１実施例における、回転式表示装置の正面図である。
【図３】前記第１実施例における、回転体部分の分解斜視図である。
【図４】前記第１実施例における、回転体部分の分解縦断面図である。
【図５】前記第１実施例における、組み立てた回転体部分の縦断面図である。
【図６】前記第１実施例における、回転体とその駆動機構、及び回転位置検出部分を取り出して示す図２のＩ−Ｉ線断面に対応する回転体が位置を横に変えたときの要部縦断面図である。
【図７】前記第１実施例における、回転体、駆動機構、及び回転位置検出部分を示す要部分解斜視図である。
【図８】前記第１実施例における、制御部の構成説明図である。
【図９】前記第１実施例における、回転体表面に表示される図柄の展開図である。
【図１０】本発明の第２実施例における、図１４のＸ−Ｘ線による断面図である。
【図１１】前記第２実施例における、図１４のＸＩ−ＸＩ線による断面図である。
【図１２】前記第２実施例における、図１４のＸＩＩ−ＸＩＩ線による断面図である。
【図１３】前記第２実施例における、図１４のＸＩＩＩ−ＸＩＩＩ線による３個組合せた状態の断面図である。
【図１４】前記第２実施例における、３個組合せた状態の底面図である。
【図１５】前記第２実施例における、回転体と駆動機構部分を示す分解縦断面図である。
【図１６】前記第２実施例における、図１０のＸＶＩ−ＸＶＩ線による断面図である。
【図１７】本発明の第３実施例を示す図１９のＸＶＩＩ−ＸＶＩＩ線による断面図である。
【図１８】前記第３実施例における、図１９のＸＶＩＩＩ−ＸＶＩＩＩ線による３個組合せた状態の断面図である。
【図１９】前記第３実施例における、３個組合せた状態の底面図である。
【図２０】本発明の第４実施例を示す回転位置検出部分を取り出して示す側面縦断面図である。
【図２１】前記第４実施例における回転体部分を取り出して示す要部正面図である。
【図２２】前記第４実施例における被検出群の配置を示す説明線図である。
【図２３】前記第４実施例における被検出群の識別素子の配置例を示す説明線図である。
【図２４】前記第４実施例における回転体のＸ軸回りの回転方向０度のときの被検出群と検出センサとの関係を示す説明線図である。
【図２５】前記第４実施例における回転体のＸ軸回りの回転方向４５度のときの被検出群と検出センサとの関係を示す説明線図である。
【図２６】前記第４実施例における回転体のＸ軸回りの回転方向９０度のときの被検出群と検出センサとの関係を示す説明線図である。
【図２７】前記第４実施例における回転体のＸ軸回りの回転方向１３５度のときの被検出群と検出センサとの関係を示す説明線図である。
【図２８】前記第４実施例における回転体のＸ軸回りの回転方向１８０度のときの被検出群と検出センサとの関係を示す説明線図である。
【図２９】前記第４実施例における回転体のＸ軸回りの回転方向２２５度のときの被検出群と検出センサとの関係を示す説明線図である。
【図３０】前記第４実施例における回転体のＸ軸回りの回転方向２７０度のときの被検出群と検出センサとの関係を示す説明線図である。
【図３１】前記第４実施例における回転体のＸ軸回りの回転方向３１５度のときの被検出群と検出センサとの関係を示す説明線図である。
【図３２】前記第４実施例における回転体のＸ軸回りの回転方向０度と回転方向１３５度のときに図柄−１〜１８までの各々の第１〜第９センサの信号出力状態を例示する説明線図である。
【図３３】前記第４実施例における回転体のＸ軸回りの回転方向９０度と回転方向１３５度のときに図柄−１〜１８までの各々の第１〜第９センサの信号出力状態を例示する説明線図である。
【図３４】前記第４実施例における回転体のＸ軸回りの回転方向１８０度と回転方向２２５度のときに図柄−１〜１８までの各々の第１〜第９センサの信号出力状態を例示する説明線図である。
【図３５】前記第４実施例における回転体のＸ軸回りの回転方向２７０度と回転方向３１５度のときに図柄−１〜１８までの各々の第１〜第９センサの信号出力状態を例示する説明線図である。
【図３６】本発明の第５実施例を示す要部縦断面図である。
【図３７】前記第５実施例における、図３６のＸＸＸＶＩ−ＸＸＸＶＩ線による断面図である。
【図３８】本発明の第６実施例を示す要部縦断面図である。
【図３９】前記第６実施例における、要部正面図である。
【図４０】前記第６実施例における、他の構成例を示す要部縦断面図である。
【図４１】前記第６実施例における、他の構成例を示す要部正面図である。
【図４２】本発明の第７実施例を示す要部縦断面図である。
【図４３】前記第７実施例における、他の構成例を示す要部縦断面図である。
【図４４】前記第７実施例における、回転体と外周回転表示盤３９６部分を示す正面図である。
【図４５】本発明の第８実施例を示す飾り部材を装着した回転式表示装置の正面図であっる。
【図４６】前記第８実施例の当り図柄の１表示態様を示す要部正面図である。
【図４７】前記第８実施例の当り図柄の１表示態様を示す要部正面図である。
【図４８】前記第８実施例の当り図柄の１表示態様を示す要部正面図である。
【図４９】前記第８実施例の当り図柄の１表示態様を示す要部正面図である。
【図５０】前記第８実施例の図柄の表示態様の変動を経時的に例示する説明図である。
【図５１】前記第８実施例の回転式表示装置を用いたパチンコ機のゲーム構成を例示するフローチャートである。
【図５２】前記第８実施例の回転式表示装置を用いたパチンコ機のゲーム構成を例示するフローチャートである。
【図５３】本発明の第９実施例を示す回転体と外周回転表示盤との表示態様を示す要部正面図である。
【図５４】本発明の第９実施例を示す回転体と外周回転表示盤との表示態様を示す要部正面図である。
【図５５】本発明の第９実施例を示す回転体と外周回転表示盤との表示態様を示す要部正面図である。
【図５６】本発明の第９実施例を示す回転体と外周回転表示盤との表示態様を示す要部正面図である。
【図５７】本発明の第１０実施例を示す回転式表示装置の正面図である。
【図５８】図５７のＸＸＸＸＸＶＩＩＩ−ＸＸＸＸＸＶＩＩＩ線による要部断面図である。
【図５９】前記第１０実施例の回転式表示装置を用いたパチンコ機のゲーム構成を例示するフローチャートである。
【図６０】本発明の第１１実施例における、３個の回転体の表示態様構成を例示する要部正面図である。
【図６１】本発明の第１１実施例における、３個の回転体の表示態様構成を例示する要部正面図である。
【図６２】本発明の第１１実施例における、３個の回転体の表示態様構成を例示する要部正面図である。
【図６３】前記第１１実施例の回転体に表示する第１表示例における図柄の配列を示す説明図である。
【図６４】前記第１１実施例における、回転体の動作に伴う図柄の変動状態を例示する説明図である。
【図６５】前記第１１実施例の当りの表示態様を例示する要部正面図である。
【図６６】前記第１１実施例の回転体に表示する第２表示図柄例における図柄の配列を示す説明図である。
【図６７】前記第１１実施例の第２表示図柄例における回転体の動作に伴う図柄の変動状態を例示する説明図である。
【図６８】前記第１１実施例の第２表示図柄例の当りの表示態様を例示する要部正面図である。
【図６９】前記第１１実施例の第３表示図柄例における第１の回転体に表示する図柄の配列を示す説明図である。
【図７０】前記第１１実施例の第３表示図柄例における第１の回転体の動作に伴う図柄の変動状態を例示する説明図である。
【図７１】前記第１１実施例の第３表示図柄例における第２の回転体に表示する図柄の配列を示す説明図である。
【図７２】前記第１１実施例の第３表示図柄例における第２の回転体の動作に伴う図柄の変動状態を例示する説明図である。
【図７３】前記第１１実施例の第３表示図柄例における第３の回転体に表示する図柄の配列を示す説明図である。
【図７４】前記第１１実施例の第３表示図柄例における第３の回転体の動作に伴う図柄の変動状態を例示する説明図である。
【図７５】前記第１１実施例の第４表示図柄例における第１の回転体に表示する図柄の配列を示す説明図である。
【図７６】前記第１１実施例の第４表示図柄例における第１の回転体の動作に伴う図柄の変動状態を例示する説明図である。
【図７７】前記第１１実施例の第４表示図柄例における第２の回転体に表示する図柄の配列を示す説明図である。
【図７８】前記第１１実施例の第４表示図柄例における第２の回転体の動作に伴う図柄の変動状態を例示する説明図である。
【図７９】前記第１１実施例の第４表示図柄例における第３の回転体に表示する図柄の配列を示す説明図である。
【図８０】前記第１１実施例の第４表示図柄例における第３の回転体の動作に伴う図柄の変動状態を例示する説明図である。
【図８１】前記第１１実施例の第５表示図柄例における第１の回転体に表示する図柄の配列を示す説明図である。
【図８２】前記第１１実施例の第５表示図柄例における第１の回転体の動作に伴う図柄の変動状態を例示する説明図である。
【図８３】前記第１１実施例の第５表示図柄例における第２の回転体に表示する図柄の配列を示す説明図である。
【図８４】前記第１１実施例の第５表示図柄例における第２の回転体の動作に伴う図柄の変動状態を例示する説明図である。
【図８５】前記第１１実施例の第５表示図柄例における第３の回転体に表示する図柄の配列を示す説明図である。
【図８６】前記第１１実施例の第５表示図柄例における第３の回転体の動作に伴う図柄の変動状態を例示する説明図である。
【図８７】前記第１１実施例の第６表示図柄例における第１の回転体に表示する図柄の配列を示す説明図である。
【図８８】前記第１１実施例の第６表示図柄例における第１の回転体の動作に伴う図柄の変動状態を例示する説明図である。
【図８９】前記第１１実施例の第６表示図柄例における第２の回転体に表示する図柄の配列を示す説明図である。
【図９０】前記第１１実施例の第６表示図柄例における第２の回転体の動作に伴う図柄の変動状態を例示する説明図である。
【図９１】前記第１１実施例の第６表示図柄例における第３の回転体に表示する図柄の配列を示す説明図である。
【図９２】前記第１１実施例の第６表示図柄例における第３の回転体の動作に伴う図柄の変動状態を例示する説明図である。
【図９３】前記第１１実施例の第７表示図柄例における第１の回転体に表示する図柄の配列を示す説明図である。
【図９４】前記第１１実施例の第７表示図柄例における第１の回転体の動作に伴う図柄の変動状態を例示する説明図である。
【図９５】前記第１１実施例の第７表示図柄例における第２の回転体に表示する図柄の配列を示す説明図である。
【図９６】前記第１１実施例の第７表示図柄例における第２の回転体の動作に伴う図柄の変動状態を例示する説明図である。
【図９７】前記第１１実施例の第７表示図柄例における第３の回転体に表示する図柄の配列を示す説明図である。
【図９８】前記第１１実施例の第７表示図柄例における第３の回転体の動作に伴う図柄の変動状態を例示する説明図である。
【図９９】前記第１１実施例の第８表示図柄例における第１の回転体に表示する図柄の配列を示す説明図である。
【図１００】前記第１１実施例の第８表示図柄例における第１の回転体の動作に伴う図柄の変動状態を例示する説明図である。
【図１０１】前記第１１実施例の第８表示図柄例における第２の回転体に表示する図柄の配列を示す説明図である。
【図１０２】前記第１１実施例の第８表示図柄例における第２の回転体の動作に伴う図柄の変動状態を例示する説明図である。
【図１０３】前記第１１実施例の第８表示図柄例における第３の回転体に表示する図柄の配列を示す説明図である。
【図１０４】前記第１１実施例の第８表示図柄例における第３の回転体の動作に伴う図柄の変動状態を例示する説明図である。
【図１０５】従来の回転式表示装置を有するパチンコ機を例示する全体正面図である。
【図１０６】従来の回転式表示装置を有するスロットマシンを例示する全体正面図である。
【符号の説明】
５６      回転体
８４      回転軸
８６      保持フレーム
９０      回転体固定歯車
９２      円筒状軸部
９８      旋回駆動源
１１０      回転駆動源
１４８      図柄
１５０      図柄
１５２      図柄
１５４      図柄
１５６      図柄
１５８      図柄
６０６      大当り
６０８      外れ図柄
６１０      目盛り板
６１４      当り位置表示
【図１】
0003808519.tif 000004
【図２】
0003808519.tif 000005
【図３】
0003808519.tif 000006
【図４】
0003808519.tif 000007
【図５】
0003808519.tif 000008
【図６】
0003808519.tif 000009
【図７】
0003808519.tif 000010
【図８】
0003808519.tif 000011
【図９】
0003808519.tif 000012
【図１０】
0003808519.tif 000013
【図１１】
0003808519.tif 000014
【図１２】
0003808519.tif 000015
【図１３】
0003808519.tif 000016
【図１４】
0003808519.tif 000017
【図１５】
0003808519.tif 000018
【図１６】
0003808519.tif 000019
【図１７】
0003808519.tif 000020
【図１８】
0003808519.tif 000021
【図１９】
0003808519.tif 000022
【図２０】
0003808519.tif 000023
【図２１】
0003808519.tif 000024
【図２２】
0003808519.tif 000025
【図２３】
0003808519.tif 000026
【図２４】
0003808519.tif 000027
【図２５】
0003808519.tif 000028
【図２６】
0003808519.tif 000029
【図２７】
0003808519.tif 000030
【図２８】
0003808519.tif 000031
【図２９】
0003808519.tif 000032
【図３０】
0003808519.tif 000033
【図３１】
0003808519.tif 000034
【図３２】
0003808519.tif 000035
【図３３】
0003808519.tif 000036
【図３４】
0003808519.tif 000037
【図３５】
0003808519.tif 000038
【図３６】
0003808519.tif 000039
【図３７】
0003808519.tif 000040
【図３８】
0003808519.tif 000041
【図３９】
0003808519.tif 000042
【図４０】
0003808519.tif 000043
【図４１】
0003808519.tif 000044
【図４２】
0003808519.tif 000045
【図４３】
0003808519.tif 000046
【図４４】
0003808519.tif 000047
【図４５】
0003808519.tif 000048
【図４６】
0003808519.tif 000049
【図４７】
0003808519.tif 000050
【図４８】
0003808519.tif 000051
【図４９】
0003808519.tif 000052
【図５０】
0003808519.tif 000053
【図５１】
0003808519.tif 000054
【図５２】
0003808519.tif 000055
【図５３】
0003808519.tif 000056
【図５４】
0003808519.tif 000057
【図５５】
0003808519.tif 000058
【図５６】
0003808519.tif 000059
【図５７】
0003808519.tif 000060
【図５８】
0003808519.tif 000061
【図５９】
0003808519.tif 000062
【図６０】
0003808519.tif 000063
【図６１】
0003808519.tif 000064
【図６２】
0003808519.tif 000065
【図６３】
0003808519.tif 000066
【図６４】
0003808519.tif 000067
【図６５】
0003808519.tif 000068
【図６６】
0003808519.tif 000069
【図６７】
0003808519.tif 000070
【図６８】
0003808519.tif 000071
【図６９】
0003808519.tif 000072
【図７０】
0003808519.tif 000073
【図７１】
0003808519.tif 000074
【図７２】
0003808519.tif 000075
【図７３】
0003808519.tif 000076
【図７４】
0003808519.tif 000077
【図７５】
0003808519.tif 000078
【図７６】
0003808519.tif 000079
【図７７】
0003808519.tif 000080
【図７８】
0003808519.tif 000081
【図７９】
0003808519.tif 000082
【図８０】
0003808519.tif 000083
【図８１】
0003808519.tif 000084
【図８２】
0003808519.tif 000085
【図８３】
0003808519.tif 000086
【図８４】
0003808519.tif 000087
【図８５】
0003808519.tif 000088
【図８６】
0003808519.tif 000089
【図８７】
0003808519.tif 000090
【図８８】
0003808519.tif 000091
【図８９】
0003808519.tif 000092
【図９０】
0003808519.tif 000093
【図９１】
0003808519.tif 000094
【図９２】
0003808519.tif 000095
【図９３】
0003808519.tif 000096
【図９４】
0003808519.tif 000097
【図９５】
0003808519.tif 000098
【図９６】
0003808519.tif 000099
【図９７】
0003808519.tif 000100
【図９８】
0003808519.tif 000101
【図９９】
0003808519.tif 000102
【図１００】
0003808519.tif 000103
【図１０１】
0003808519.tif 000104
【図１０２】
0003808519.tif 000105
【図１０３】
0003808519.tif 000106
【図１０４】
0003808519.tif 000107
【図１０５】
0003808519.tif 000108
【図１０６】
0003808519.tif 000109